(57)【要約】    【課題】      正確な制御と下り回線制御信号の量を少なくすることとの両立を図るとともに、下り回線のスループットの低下を防ぐこと。    【解決手段】  ＳＩＲ測定部１０４は、ＳＩＲを測定する。誤り検出部１１１は、誤りを検出する。スケジューリング部１１５は、スケジューリングにより割り当てた各通信端末装置のリソースの情報を下り回線制御信号ＤＬ−ＳＡとしてチャネルエンコード部１２１へ出力するとともに、再送信予定の通信端末装置に割り当てるリソースが上りパケット用受信電力リソースを超える場合には、再送信予定の通信端末装置に共通のリソースの制限量を割り当て、割り当てた共通の制限量の情報を下り回線制御信号ＤＬ−ＳＲとしてチャネルエンコード部１１７へ出力する。  【選択図】      図１
2006054617.tif 000002
【特許請求の範囲】
【請求項１】
受信品質に基づいて通信相手にリソースを割り当てるとともに前記リソースを制限するための前記通信相手に共通のリソース制限量を前記通信相手に割り当てるスケジューリング手段と、
前記スケジューリング手段にて割り当てられたリソースの情報を前記通信相手に送信するとともに前記リソースの情報を送信した通信相手に対して前記共通のリソース制限量の情報を送信する通知手段と、
を具備することを特徴とする通信装置。
【請求項２】
受信データの誤りを検出する誤り検出手段を具備し、
前記スケジューリング手段は、前記誤り検出手段にて誤りが検出された通信相手に前記共通のリソース制限量を割り当て、
前記通知手段は、前記誤り検出手段にて誤りが検出された通信相手に対して前記共通のリソース制限量の情報を送信することを特徴とする請求項１記載の通信装置。
【請求項３】
前記スケジューリング手段は、通信相手に対して初回の送信の際に割り当てたリソースからの前記共通のリソース制限量を割り当てることを特徴とする請求項１または請求項２記載の通信装置。
【請求項４】
前記スケジューリング手段は、通信相手に対して割り当てた特定のチャネルのリソースのオフセット値からの前記共通のリソース制限量を割り当てることを特徴とする請求項１から請求項３のいずれかに記載の通信装置。
【請求項５】
前記スケジューリング手段は、通信相手に割り当てた前記共通のリソース制限量を伝送レートまたは情報ビット数に変換し、
前記通知手段は、前記スケジューリング手段にて変換された前記伝送レートの情報または前記情報ビット数の情報を前記共通のリソース制限量の情報として通信相手に送信することを特徴とする請求項１から請求項４のいずれかに記載の通信装置。
【請求項６】
前記スケジューリング手段は、通信相手を複数のグループに分けるとともに前記グループ毎に前記共通のリソース制限量を割り当て、
前記通知手段は、前記グループ毎の前記共通のリソース制限量の情報を通信相手に送信することを特徴とする請求項１から請求項５のいずれかに記載の通信装置。
【請求項７】
前記スケジューリング手段は、所定時間にて有効なリソースを前記通信相手に割り当てるとともに、割り当てた前記リソースを制限するための前記共通のリソース制限量を前記所定時間内に割り当てることを特徴とする請求項１から請求項６のいずれかに記載の通信装置。
【請求項８】
請求項１から請求項７のいずれかに記載の通信装置を具備することを特徴とする基地局装置。
【請求項９】
請求項１から請求項７のいずれかに記載の通信装置と通信を行う通信端末装置であって、
前記通信端末装置は、
前記リソースの情報にて指示されたリソースから前記共通のリソース制限量の情報により指示された制限量だけ制限したリソースを設定するリソース設定手段と、
前記リソース設定手段にて設定されたリソースにてパケットデータを送信する送信手段と、
を具備することを特徴とする通信端末装置。
【請求項１０】
受信品質に基づいて通信相手にリソースを割り当てるとともに前記リソースを制限するための前記通信相手に共通のリソースの制限量を前記通信相手に割り当てるステップと、
割り当てられたリソースの情報を前記通信相手に送信するとともに前記リソースの情報を送信した通信相手に対して前記共通のリソース制限量の情報を送信するステップと、
を具備することを特徴とするシグナリング方法。
【請求項１１】
受信データの誤りを検出するステップを具備し、
誤りが検出された通信相手に前記共通のリソース制限量を割り当て、
誤りが検出された通信相手に対して前記共通のリソース制限量の情報を送信することを特徴とする請求項１０記載のシグナリング方法。
【請求項１２】
受信品質に基づいて割り当てたリソースの情報を送信する通信装置と、前記リソースの情報にて指示されたリソースにてパケットデータを送信する通信端末装置と、を備えた通信システムであって、
前記通信装置は、
前記リソースを制限するための前記通信端末装置に共通のリソース制限量を前記通信端末装置に割り当てるとともに、前記リソースの情報を送信した前記通信端末装置に対して前記共通のリソース制限量の情報を送信し、
前記通信端末装置は、
前記リソースの情報にて指示されたリソースから前記共通のリソース制限量の情報により指示された制限量だけ制限したリソースを設定するとともに、設定したリソースにてパケットデータを送信することを特徴とする通信システム。
【発明の詳細な説明】
【技術分野】
【０００１】
本発明は、通信装置、基地局装置及びシグナリング方法に関し、特に上り回線にて高速パケット伝送を行う通信装置、基地局装置及びシグナリング方法に関する。
【背景技術】
【０００２】
従来、ＨＳＤＰＡ（High Speed Downlink Packet Access）等の無線基地局から通信端末装置への下り回線での高速パケット伝送を可能とする方式について、種々の工夫がなされている。また、近年は通信端末から無線基地局への上り回線においても大容量または低遅延なデータ伝送を可能とするべく、３ＧＰＰにおいて、上り回線での高速パケット伝送の標準化について検討がなされている。
【０００３】
上り回線での高速パケット伝送においても、下り回線と同様にスケジューリング技術の導入が検討されている。上り回線パケットのスケジューリングは基地局において行い、基地局は作成したスケジューリング情報を各通信端末装置に送信する。各通信端末装置は基地局から受信したスケジューリング情報に基づいて、上り回線パケットを基地局に送信する。また、基地局は、スケジューリングにより上り回線パケットの送信を許可する通信端末装置を選択し、選択した通信端末装置に対して、許可する伝送レートや送信電力等を下り回線制御信号で伝送する。
【０００４】
上り回線での高速パケット伝送におけるスケジューリング方法の１つに、Ｔｉｍｅ  ａｎｄ  Ｒａｔｅ  Ｓｃｈｅｄｕｌｉｎｇと呼ばれる方法がある（例えば、非特許文献１）。Ｔｉｍｅ  ａｎｄ  Ｒａｔｅ  Ｓｃｈｅｄｕｌｉｎｇは、ＨＡＲＱ(Hybrid Automatic Repeat reQuest)を適用した場合には、図２７に示すように５つのステップからなる。即ち、第１ステップでは、各通信端末装置１０、１１が基地局１２に対して、要求伝送レート、データ量及び送信電力マージン等を上り回線制御信号ＵＬ−ＳＩ（Up Link Scheduling Information)＃１３にて通知する。次いで第２ステップでは、基地局１２が、通知された要求伝送レート、データ量及び送信電力マージン等に基づいてスケジューリングを行い、上り回線パケットの送信を許可する通信端末装置１０を選択し、選択した通信端末装置１０に対して、許可する伝送レート及び送信電力等を下り回線制御信号ＤＬ−ＳＡ（Down Link Scheduling Assignment)＃１４で指示する。そして、第３ステップでは、自分宛ての制御信号を受信した通信端末装置１０が基地局１２から指示された伝送レート以下の伝送レート、及び基地局１２から指示された送信電力以下の送信電力で上り回線パケット＃１５を送信する。さらに、ＨＡＲＱとして第４ステップおよび第５ステップが追加される。第４ステップでは、基地局１２は上り回線パケットの受信に成功した場合にはＡＣＫ信号＃１６を送信し、受信に失敗した場合にはＮＡＣＫ信号＃１６を通信端末装置１０に対して送信する。ＮＡＣＫ信号＃１６を受信した通信端末装置１０は第５ステップにおいて、上り回線パケット＃１７を再送信する。以降は、上り回線パケットの受信に成功するか、または最大再送信回数に達するまで第４ステップ及び第５ステップを繰り返す。
【０００５】
また、基地局でのスケジューリングにＨＡＲＱを適用する方法として、４つの方法が知られている（例えば、非特許文献２）。１つ目の方法は、受信に失敗した上り回線パケットについて任意のタイミングで再送信し、かつ初回送信時に指示された伝送レート、及び送信電力または送信電力オフセットにて送信するものである（Asynchronous and autonomous retransmission）（以下「再送方法１」と記載する）。２つ目の方法は、受信に失敗した上り回線パケットについて任意のタイミングで再送信し、かつ初回送信及び再送信に関わらず毎回スケジューリングによる指示に従って送信するものである（Asynchronous and scheduled retransmission）（以下、「再送方法２」と記載する）。３つ目の方法は、決まったタイミングで再送信し、かつ初回送信時に指示された伝送レート及び、送信電力または送信電力オフセットで送信するものである（Synchronous and autonomous retransmission）（以下「再送方法３」と記載する）。４つ目の方法は、決まったタイミングで再送信し、かつ初回送信及び再送信に関わらず毎回スケジューリングによる指示に従って送信するものである（Synchronous and scheduled retransmission）（以下、「再送方法４」と記載する）。再送方法３及び再送方法４は、再送信を優先する方法である。再送方法１及び再送方法３は、再送信時については、スケジューリングによる指示を基地局から通信端末装置に伝えるための下り回線制御信号ＤＬ−ＳＡが不要になる。従って、再送方法３はシステムにおける下り回線制御信号ＤＬ−ＳＡの量が少なくて済むが、再送信を行う通信端末装置に対しては制御ができないので、基地局における総受信電力の目標値（ＲｏＴ(Rise over Thermal noise) target）を超えてしまう場合がある。一方、再送方法４は再送信を行う通信端末装置に対しても制御できるため、総受信電力の目標値に対して正確な制御を行えるが、下り回線制御信号ＤＬ−ＳＡの量が多くなる。
【非特許文献１】3GPP, R1-030592, Node B Controlled Time and Rate Scheduling
【非特許文献２】3GPP, R1-040757, HARQ and Node B controlled scheduling
【発明の開示】
【発明が解決しようとする課題】
【０００６】
しかしながら、従来の装置においては、基地局でのスケジューリングにＨＡＲＱを適用した場合には、基地局におけるリソースの正確な制御と下り回線制御信号ＤＬ−ＳＡの量を少なくすることとの両立を図ることができないという問題がある。また、下り回線制御信号ＤＬ−ＳＡの量が多い場合には、基地局の送信電力リソースが多く必要となるため、下り回線のスループットが低下するという問題がある。
【０００７】
図２８及び図２９は再送方法３を示す図であり、図３０及び図３１は再送方法４を示す図である。図２８〜図３１において、ＨＡＲＱにおける処理単位を示すＨＡＲＱ  ｐｒｏｃｅｓｓ数は３であると仮定しており、ＨＡＲＱ  ｐｒｏｃｅｓｓ０に注目したものである。図２８〜図３１の場合、基地局は全ての通信端末装置ＭＳ＃２０〜＃２３から送信されたデータの受信に失敗した場合を示すものであり、基地局は全てＮＡＣＫ信号を送信する。また、図２８〜図３１は、最大再送回数に制限がない場合を示すものであるので、全ての通信端末装置ＭＳ＃２０〜＃２３の再送が継続されている。なお、図２９及び図３１において、受信電力Ｐ１は熱雑音による受信電力であり、受信電力Ｐ２−Ｐ１は干渉成分による受信電力である。
【０００８】
再送方法３の場合には、図２８より、通信端末装置ＭＳ＃２０はＴＴＩ０において上り回線制御信号ＵＬ−ＳＩ＃３０を基地局に送信し、通信端末装置ＭＳ＃２１はＴＴＩ３において上り回線制御信号ＵＬ−ＳＩ＃３１を基地局に送信し、通信端末装置ＭＳ＃２２はＴＴＩ６において上り回線制御信号ＵＬ−ＳＩ＃３２を基地局に送信し、通信端末装置ＭＳ＃２３はＴＴＩ９において上り回線制御信号ＵＬ−ＳＩ＃３３を基地局に送信する。基地局は、各通信端末装置ＭＳ＃２０〜＃２３から受信した上り回線制御信号ＵＬ−ＳＩ＃３０〜＃３３に基づいてスケジューリングを行う。そして、基地局は、スケジューリング結果を通知するために下り回線制御信号ＤＬ−ＳＡ＃３４〜＃３７を送信する。下り回線制御信号ＤＬ−ＳＡ＃３４〜＃３７を受信した各通信端末装置ＭＳ＃２０〜＃２３は、各々指示された伝送レート（ＭＣＳレベル）、及び送信電力または送信電力オフセットの範囲でデータを送信する。基地局はデータを受信するとＡＣＫ信号またはＮＡＣＫ信号を送信する。
【０００９】
図２８より、下り回線制御信号ＤＬ−ＳＡ＃３４〜＃３７は、各通信端末装置ＭＳ＃２０〜＃２３の初回送信時のみに送信されており、下り回線制御信号ＤＬ−ＳＡ＃３４〜＃３７の全体的な量は少ないので、下り回線のスループットへの影響は小さい。しかしながら、図２９に示すように、上り回線のＴＴＩ１５の総受信電力Ｐ４及びＴＴＩ１８における基地局の総受信電力Ｐ５は、総受信電力の目標値Ｐ３を超えており、正確な制御を行えないために受信失敗が増加して上り回線のスループットが低下するという問題がある。また、上り回線にて他セルに与える干渉量が大きくなるという問題がある。
【００１０】
また、再送方法４の場合には、通信端末装置ＭＳ＃２０はＴＴＩ０において上り回線制御信号ＵＬ−ＳＩ＃５１を基地局に送信し、通信端末装置ＭＳ＃２１はＴＴＩ３において上り回線制御信号ＵＬ−ＳＩ＃５２を基地局に送信し、通信端末装置ＭＳ＃２２はＴＴＩ６において上り回線制御信号ＵＬ−ＳＩ＃５３を基地局に送信し、通信端末装置ＭＳ＃２３はＴＴＩ９において上り回線制御信号ＵＬ−ＳＩ＃５４を基地局に送信する。基地局は、各通信端末装置ＭＳ＃２０〜＃２３から受信した上り回線制御信号ＵＬ−ＳＩ＃５１〜＃５４に基づいてスケジューリングを行う。そして、基地局は、スケジューリング結果を通知するために下り回線制御信号ＤＬ−ＳＡ＃５５〜＃７２を送信する。下り回線制御信号ＤＬ−ＳＡ＃５５〜＃７２を受信した各通信端末装置ＭＳ＃２０〜＃２３は、各々指示された伝送レート（ＭＣＳレベル）、及び送信電力または送信電力オフセットの範囲でデータを送信する。基地局はデータを受信するとＡＣＫ信号またはＮＡＣＫ信号を送信する。
【００１１】
図３０より、下り回線制御信号ＤＬ−ＳＡ＃５５〜＃７２は、各通信端末装置ＭＳ＃２０〜＃２３の初回送信時及び再送信時に送信されている。即ち、下り回線制御信号ＤＬ−ＳＡ＃５５〜＃７２は、初回送信時及び再送信時に関わりなく毎回送信されている。したがって、図３１に示すように、上り回線のＴＴＩ１５及びＴＴＩ＃１８における基地局の総受信電力は、総受信電力の目標値Ｐ３を超えておらず、正確な制御が行えているために上り回線のスループットに影響はない。しかしながら、下り回線制御信号ＤＬ−ＳＡ＃５５〜＃７２は各通信端末装置ＭＳ＃２０〜＃２３の初回送信時のみでなく、再送信時においても送信されているので、下り回線制御信号ＤＬ−ＳＡ＃５５〜＃７２の量が多くなっている。そのため、下り回線の送信電力リソースを多く消費してしまい、下り回線パケットに割当てる送信電力リソースが減少するので下り回線のスループットが低下するという問題がある。また、下り回線で他セルに与える干渉が大きくなるという問題がある。
【００１２】
本発明はかかる点に鑑みてなされたものであり、正確な制御と下り回線制御信号の量を少なくすることとの両立を図ることができるとともに、下り回線のスループットの低下を防ぐことができる通信装置、基地局装置及びシグナリング方法を提供することを目的とする。
【課題を解決するための手段】
【００１３】
本発明の通信装置は、受信品質に基づいて通信相手にリソースを割り当てるとともに前記リソースを制限するための前記通信相手に共通のリソース制限量を前記通信相手に割り当てるスケジューリング手段と、前記スケジューリング手段にて割り当てられたリソースの情報を前記通信相手に送信するとともに前記リソースの情報を送信した通信相手に対して前記共通のリソース制限量の情報を送信する通知手段と、を具備する構成を採る。
【００１４】
この構成によれば、通信端末装置の受信品質に基づいて共通の制限量を通信端末装置に割り当てるとともに、通信端末装置に対して共通の制限量の情報を送信するので、正確な制御と下り回線制御信号の量を少なくすることとの両立を図ることができるとともに、下り回線のスループットの低下を防ぐことができる。
【００１５】
本発明のシグナリング方法は、受信品質に基づいて通信相手にリソースを割り当てるとともに前記リソースを制限するための前記通信相手に共通のリソースの制限量を前記通信相手に割り当てるステップと、割り当てられたリソースの情報を前記通信相手に送信するとともに前記リソースの情報を送信した通信相手に対して前記共通のリソース制限量の情報を送信するステップと、を具備するようにした。
【００１６】
この方法によれば、通信端末装置の受信品質に基づいて共通の制限量を再送予定の通信端末装置に割り当てるとともに、通信端末装置に対して共通の制限量の情報を送信するので、正確な制御と下り回線制御信号の量を少なくすることとの両立を図ることができるとともに、下り回線のスループットの低下を防ぐことができる。
【００１７】
本発明の通信システムは、受信品質に基づいて割り当てたリソースの情報を送信する通信装置と、前記リソースの情報にて指示されたリソースにてパケットデータを送信する通信端末装置と、を備えた通信システムであって、前記通信装置は、前記リソースを制限するための前記通信端末装置に共通のリソース制限量を前記通信端末装置に割り当てるとともに、前記リソースの情報を送信した前記通信端末装置に対して前記共通のリソース制限量の情報を送信し、前記通信端末装置は、前記リソースの情報にて指示されたリソースから前記共通のリソース制限量の情報により指示された制限量だけ制限したリソースを設定するとともに、設定したリソースにてパケットデータを送信する構成を採る。
【００１８】
この構成によれば、通信端末装置の受信品質に基づいて共通の制限量を通信端末装置に割り当てるとともに、通信端末装置に対して共通の制限量の情報を送信するので、正確な制御と下り回線制御信号の量を少なくすることとの両立を図ることができるとともに、下り回線のスループットの低下を防ぐことができる。
【発明の効果】
【００１９】
本発明によれば、正確な制御と下り回線制御信号の量を少なくすることとの両立を図ることができるとともに、下り回線のスループットの低下を防ぐことができる。
【発明を実施するための最良の形態】
【００２０】
以下、本発明の実施の形態について、図面を参照して詳細に説明する。
【００２１】
（実施の形態１）
図１は、本発明の実施の形態１に係る通信装置１００の構成を示すブロック図である。逆拡散部１０３、ＳＩＲ測定部１０４、ＴＰＣ生成部１０５、復調部１０６、チャネルデコード部１０７、逆拡散部１０８、復調部１０９、チャネルデコード部１１０、誤り検出部１１１、逆拡散部１１２、復調部１１３及びチャネルデコード部１１４は、受信信号処理部１３６−１〜１３６−ｎを構成している。受信信号処理部１３６−１〜１３６−ｎは、通信端末装置の数と同じ数だけ設けられ、各通信端末装置の受信信号を各々処理する。
【００２２】
アンテナ１０１は、送信無線部１３５から入力した送信信号を送信するとともに、信号を受信して受信無線部１０２へ出力する。
【００２３】
受信無線部１０２は、アンテナ１０１から入力した受信信号を無線周波数からベースバンド周波数にダウンコンバートして逆拡散部１０３、逆拡散部１０８及び逆拡散部１１２へ出力する。
【００２４】
逆拡散部１０３は、受信無線部１０２から入力した受信信号を逆拡散処理してＳＩＲ測定部１０４及び復調部１０６へ出力する。
【００２５】
ＳＩＲ測定部１０４は、逆拡散部１０３から入力した受信信号に含まれるパイロット信号を用いてＳＩＲ（希望波電力対干渉波電力比）を測定して、測定したＳＩＲの測定値の情報をＴＰＣ生成部１０５へ出力する。
【００２６】
ＴＰＣ生成部１０５は、ＳＩＲ測定部１０４から入力したＳＩＲの測定値の情報より、上り回線にて送信電力制御するためのＴＰＣコマンド（ＵＬ−ＴＰＣ）を生成して出力する。
【００２７】
復調部１０６は、逆拡散部１０３から入力した受信信号を復調し、復調した受信データをチャネルデコード部１０７へ出力する。
【００２８】
チャネルデコード部１０７は、復調部１０６から入力した受信データに含まれている下り回線にて送信電力制御するためのＴＰＣコマンド（ＤＬ−ＴＰＣ）を抽出して出力する。また、チャネルデコード部１０７は、ＴＰＣコマンドを抽出した後の受信データを出力する。
【００２９】
逆拡散部１０８は、受信無線部１０２から入力した受信信号を逆拡散して復調部１０９へ出力する。
【００３０】
復調部１０９は、逆拡散部１０８から入力した受信信号を復調し、復調した受信データをチャネルデコード部１１０へ出力する。
【００３１】
チャネルデコード部１１０は、復調部１０９から入力した受信データをＨＡＲＱのための過去の受信データと合成してから復号して誤り検出部１１１へ出力する。
【００３２】
誤り検出部１１１は、チャネルデコード部１１０から入力した受信データより誤り検出を行い、誤りなく正しく受信できたことを示すＡＣＫ信号または正しく受信できなかったことを示すＮＡＣＫ信号を出力する。また、誤り検出部１１１は、誤り検出した結果、正しく受信できた場合には受信パケットデータを出力する。
【００３３】
逆拡散部１１２は、受信無線部１０２から入力した受信信号を逆拡散して復調部１１３へ出力する。
【００３４】
復調部１１３は、逆拡散部１１２から入力した受信信号を復調し、復調した受信データをチャネルデコード部１１４へ出力する。
【００３５】
チャネルデコード部１１４は、復調部１１３から入力した受信データに含まれている上り回線制御信号ＵＬ−ＳＩを抽出して出力する。
【００３６】
スケジューリング部１１５は、各受信信号処理部１３６−１〜１３６−ｎのＳＩＲ測定部１０４から入力したＳＩＲの測定値の情報、誤り検出部１１１から入力したＡＣＫ信号またはＮＡＣＫ信号、チャネルデコード部１１４から入力した上り回線制御信号ＵＬ−ＳＩ、図示しない記憶部にあらかじめ記憶されている送信レートの候補の情報であるレート組合せ情報及び通信端末装置に割り当てることができる最大のリソースである上りパケット用受信電力リソースの情報に基づいてスケジューリングを行って、各通信端末装置にリソースを割り当てる。そして、スケジューリング部１１５は、割り当てた各通信端末装置のリソースの情報を下り回線制御信号ＤＬ−ＳＡとしてチャネルエンコード部１２１へ出力するとともに、再送信予定の通信端末装置に割り当てるリソースが上りパケット用受信電力リソースを超える場合には、再送信予定の通信端末装置に共通のリソースの制限量を割り当て、割り当てた共通の制限量の情報（共通削減量情報）をシグナリング信号である下り回線制御信号ＤＬ−ＳＲ（Down Link Scheduling Restriction）としてチャネルエン
コード部１１７へ出力する。なお、スケジューリング部１１５の詳細については後述する。
【００３７】
送信電力設定部１１６は、所定の送信電力を設定し、設定した送信電力になるように乗算器１２０及び乗算器１２４を制御する。
【００３８】
チャネルエンコード部１１７は、スケジューリング部１１５から入力した下り回線制御信号ＤＬ−ＳＲを含む送信データを符号化して変調部１１８へ出力する。
【００３９】
変調部１１８は、チャネルエンコード部１１７から入力した送信データを変調し、変調した送信信号を拡散部１１９へ出力する。
【００４０】
拡散部１１９は、変調部１１８から入力した送信信号を拡散処理して乗算器１２０へ出力する。
【００４１】
乗算器１２０は、送信電力設定部１１６の制御により、拡散部１１９から入力した送信信号を所定の送信電力にして送信無線部１３５へ出力する。
【００４２】
チャネルエンコード部１２１は、スケジューリング部１１５から入力した下り回線制御信号ＤＬ−ＳＡを含む送信データを符号化して変調部１２２へ出力する。
【００４３】
変調部１２２は、チャネルエンコード部１２１から入力した送信データを変調し、変調した送信信号を拡散部１２３へ出力する。
【００４４】
拡散部１２３は、変調部１２２から入力した送信信号を拡散処理して乗算器１２４へ出力する。
【００４５】
乗算器１２４は、送信電力設定部１１６の制御により、拡散部１２３から入力した送信信号を所定の送信電力にして送信無線部１３５へ出力する。
【００４６】
送信電力設定部１２５は、所定の送信電力を設定し、設定した送信電力になるように乗算器１２９を制御する。
【００４７】
チャネルエンコード部１２６は、誤り検出部１１１から入力したＡＣＫ信号またはＮＡＣＫ信号を含む送信データを符号化して変調部１２７へ出力する。
【００４８】
変調部１２７は、チャネルエンコード部１２６から入力した送信データを変調し、変調した送信信号を拡散部１２８へ出力する。
【００４９】
拡散部１２８は、変調部１２７から入力した送信信号を拡散処理して乗算器１２９へ出力する。
【００５０】
乗算器１２９は、送信電力設定部１２５の制御により、拡散部１２８から入力した送信信号を所定の送信電力にして送信無線部１３５へ出力する。
【００５１】
送信電力設定部１３０は、所定の送信電力を設定し、設定した送信電力になるように乗算器１３４を制御する。
【００５２】
チャネルエンコード部１３１は、既知のシンボルであるパイロット信号、ＴＰＣ生成部１０５にて生成したＴＰＣコマンド（ＵＬ−ＴＰＣ）及び送信データを符号化して変調部１３２へ出力する。
【００５３】
変調部１３２は、チャネルエンコード部１３１から入力した送信データを変調し、変調した送信信号を拡散部１３３へ出力する。
【００５４】
拡散部１３３は、変調部１３２から入力した送信信号を拡散処理して乗算器１３４へ出力する。
【００５５】
乗算器１３４は、送信電力設定部１３０の制御により、拡散部１３３から入力した送信信号を所定の送信電力にして送信無線部１３５へ出力する。
【００５６】
送信無線部１３５は、乗算器１２０から入力した送信信号、乗算器１２４から入力した送信信号、乗算器１２９から入力した送信信号、及び乗算器１３４から入力した送信信号をベースバンド周波数から無線周波数にアップコンバートしてアンテナ１０１から送信する。
【００５７】
次に、通信端末装置２００の構成について、図２を用いて説明する。図２は、通信端末装置２００の構成を示すブロック図である。
【００５８】
アンテナ２０１は、信号を受信して受信無線部２０２へ出力するとともに、送信無線部２３８から入力した送信信号を送信する。
【００５９】
受信無線部２０２は、アンテナ２０１にて受信した受信信号を無線周波数からベースバンド周波数にダウンコンバートして逆拡散部２０３、逆拡散部２０８、逆拡散部２１１及び逆拡散部２１４へ出力する。
【００６０】
逆拡散部２０３は、受信無線部２０２から入力した受信信号を逆拡散処理してＳＩＲ測定部２０４及び復調部２０６へ出力する。
【００６１】
ＳＩＲ測定部２０４は、逆拡散部２０３から入力した受信信号に含まれるパイロット信号を用いてＳＩＲを測定して、測定したＳＩＲの測定値の情報をＴＰＣ生成部２０５へ出力する。
【００６２】
ＴＰＣ生成部２０５は、ＳＩＲ測定部２０４から入力したＳＩＲの測定値の情報より、下り回線にて送信電力制御するためのＴＰＣコマンド（ＤＬ−ＴＰＣ）を生成して出力する。
【００６３】
復調部２０６は、逆拡散部２０３から入力した受信信号を復調し、復調した受信データをチャネルデコード部２０７へ出力する。
【００６４】
チャネルデコード部２０７は、復調部２０６から入力した受信データに含まれている上り回線にて送信電力制御するためのＴＰＣコマンド（ＵＬ−ＴＰＣ）を抽出する。また、チャネルデコード部２０７は、ＴＰＣコマンドを抽出した後の受信データを出力する。
【００６５】
逆拡散部２０８は、受信無線部２０２から入力した受信信号を逆拡散して復調部２０９へ出力する。
【００６６】
復調部２０９は、逆拡散部２０８から入力した受信信号を復調し、復調した受信データをチャネルデコード部２１０へ出力する。
【００６７】
チャネルデコード部２１０は、復調部２０９から入力した受信データを復号して、通信装置１００が正しく受信できたことを示すＡＣＫ信号または通信装置１００が正しく受信できなかったことを示すＮＡＣＫ信号を抽出して送信回数カウンタ２１７及びバッファ２２２へ出力する。
【００６８】
逆拡散部２１１は、受信無線部２０２から入力した受信信号を逆拡散して復調部２１２へ出力する。
【００６９】
復調部２１２は、逆拡散部２１１から入力した受信信号を復調し、復調した受信データをチャネルデコード部２１３へ出力する。
【００７０】
チャネルデコード部２１３は、復調部２１２から入力した受信データを復号して下り回線制御信号ＤＬ−ＳＡを抽出してＤＬ−ＳＡ記憶部２２０へ出力する。
【００７１】
逆拡散部２１４は、受信無線部２０２から入力した受信信号を逆拡散して復調部２１５へ出力する。
【００７２】
復調部２１５は、逆拡散部２１４から入力した受信信号を復調し、復調した受信データをチャネルデコード部２１６へ出力する。
【００７３】
チャネルデコード部２１６は、復調部２１５から入力した受信データを復号して下り回線制御信号ＤＬ−ＳＲを抽出して出力する。
【００７４】
送信回数カウンタ２１７は、チャネルデコード部２１０から入力したＡＣＫ信号またはＮＡＣＫ信号より送信回数をカウントして、カウントした送信回数の情報を切替部２２１及びオフセット量制御部２２７へ出力する。
【００７５】
送信電力制御部２１８は、チャネルデコード部２０７から入力したＴＰＣコマンドに基づいて送信電力を計算して送信電力を設定する。そして、送信電力制御部２１８は、設定した送信電力を送信電力測定部２１９及び送信電力制御部２２８へ出力する。
【００７６】
送信電力測定部２１９は、入力した最大送信電力の情報である最大送信電力情報より、最大送信電力から送信電力制御部２１８から入力した送信電力を減算して、残りのリソース、即ち残りの送信電力の情報をレート要求選択部２２４、伝送レート選択部２２５及びＵＬ−ＳＩ生成部２２９へ出力する。
【００７７】
ＤＬ−ＳＡ記憶部２２０は、チャネルデコード部２１３から入力した下り回線制御信号ＤＬ−ＳＡを記憶する。そして、ＤＬ−ＳＡ記憶部２２０は、記憶している下り回線制御信号ＤＬ−ＳＡを切替部２２１へ出力する。
【００７８】
切替部２２１は、初回送信時にはチャネルデコード部２１６から入力した下り回線制御信号ＤＬ−ＳＡを選択して伝送レート選択部２２５及び送信パラメータ設定部２２６へ出力する。また、切替部２２１は、再送信時にはＤＬ−ＳＡ記憶部２２０に記憶されている下り回線制御信号ＤＬ−ＳＡを選択して伝送レート選択部２２５及び送信パラメータ設定部２２６へ出力する。
【００７９】
バッファ２２２は、入力した送信パケットデータを一時的に記憶する。そして、バッファ２２２は、チャネルデコード部２１０からＡＣＫ信号が入力した場合には記憶している送信パケットデータを廃棄し、チャネルデコード部２１０からＮＡＣＫ信号が入力した場合には、記憶している送信パケットデータを送信パラメータ設定部２２６より指示された量だけチャネルエンコード部２３０へ出力する。
【００８０】
データ量測定部２２３は、所定時間におけるバッファ２２２から入力したデータ量の情報よりデータ量を測定して、測定したデータ量の情報をレート要求選択部２２４、伝送レート選択部２２５及びＵＬ−ＳＩ生成部２２９へ出力する。
【００８１】
レート要求選択部２２４は、伝送レート選択部２２５から入力した伝送レートの情報、送信電力測定部２１９から入力した残りの送信電力の情報及びデータ量測定部２２３から入力したデータ量の情報より送信レートを選択して、選択した送信レートにて送信を許可してもらうために通信装置１００に要求する情報であるレート要求情報を生成してＵＬ−ＳＩ生成部２２９へ出力する。
【００８２】
伝送レート選択部２２５は、送信電力測定部２１９から入力した残り送信電力の情報、データ量測定部２２３から入力したデータ量の情報、切替部２２１から入力した下り回線制御信号ＤＬ−ＳＡ及び図示しない記憶部にあらかじめ記憶されている送信レートの候補の情報であるレート組合せ情報に基づいて、送信レートの候補の中から最適な送信レートを選択する。そして、伝送レート選択部２２５は、選択した送信レートの情報をレート要求選択部２２４及び送信パラメータ設定部２２６へ出力する。
【００８３】
送信パラメータ設定部２２６は、伝送レート選択部２２５から入力した送信レートの情報に基づいて、送信するビット数、符号化率、変調多値数、送信電力のオフセット量及び拡散率等の送信パラメータを選択する。そして、送信パラメータ設定部２２６は、選択したビット数の出力を指示する指示情報をバッファ２２２へ出力する。また、送信パラメータ設定部２２６は、選択した符号化率にて符号化するための情報である指示情報をチャネルエンコード部２３０へ出力する。また、送信パラメータ設定部２２６は、選択した変調多値数にて変調するための情報である指示情報を変調部２３１へ出力する。また、送信パラメータ設定部２２６は、選択した拡散率にて拡散処理するための情報である指示情報を拡散部２３２へ出力する。また、送信パラメータ設定部２２６は、切替部２２１から入力した下り回線制御信号ＤＬ−ＳＡに基づいて決められたオフセット量をオフセット量制御部２２７へ出力する。
【００８４】
オフセット量制御部２２７は、送信回数カウンタ２１７から入力した送信回数の情報より送信回数が初回の場合には、送信パラメータ設定部２２６から入力したオフセット量の指示情報をそのまま送信電力制御部２２８へ出力する。また、オフセット量制御部２２７は、送信回数カウンタ２１７から入力した送信回数の情報より、再送信の場合には、送信パラメータ設定部２２６から入力したオフセット量の指示情報に対して、チャネルデコード部２１６から入力した下り回線制御信号ＤＬ−ＳＲにより補正をかけてオフセット量を計算して送信電力制御部２２８へ出力する。
【００８５】
送信電力制御部２２８は、送信電力制御コマンド（ＵＬ−ＴＰＣ）により制御されている送信電力制御部２１８から入力した送信電力に対して、オフセット量制御部２２７から入力したオフセット量を乗算した値を送信電力として設定する。そして、送信電力制御部２２８は、設定した送信電力になるように乗算器２３３を制御する。
【００８６】
ＵＬ−ＳＩ生成部２２９は、送信電力測定部２１９から入力した残りの送信電力の情報、データ量測定部２２３から入力したデータ量の情報及びレート要求選択部２２４から入力したレート要求情報を含む上り回線制御信号ＵＬ−ＳＩを生成して、生成した上り回線制御信号ＵＬ−ＳＩをチャネルエンコード部２３０へ出力する。
【００８７】
チャネルエンコード部２３０は、送信パラメータ設定部２２６から入力した指示情報に基づいて、バッファ２２２から入力した送信パケットデータ及びＵＬ−ＳＩ生成部２２９から入力した上り回線制御信号ＵＬ−ＳＩを符号化して変調部２３１へ出力する。
【００８８】
変調部２３１は、送信パラメータ設定部２２６から入力した指示情報に基づいて、チャネルエンコード部２３０から入力した送信パケットデータを変調して拡散部２３２へ出力する。
【００８９】
拡散部２３２は、送信パラメータ設定部２２６から入力した指示情報に基づいて、変調部２３１から入力した送信パケットデータを拡散処理して乗算器２３３へ出力する。
【００９０】
乗算器２３３は、送信電力制御部２２８の制御により、所定の送信電力にて拡散部２３２から入力した送信パケットデータを送信無線部２３８へ出力する。
【００９１】
チャネルエンコード部２３４は、既知のシンボルであるパイロット信号、ＴＰＣ生成部２０５にて生成したＴＰＣコマンド及び送信データを符号化して変調部２３５へ出力する。
【００９２】
変調部２３５は、チャネルエンコード部２３４から入力した送信データを変調し、変調した送信信号を拡散部２３６へ出力する。
【００９３】
拡散部２３６は、変調部２３５から入力した送信信号を拡散処理して乗算器２３７へ出力する。
【００９４】
乗算器２３７は、送信電力制御部２１８の制御により、所定の送信電力にて拡散部２３６から入力した送信信号を送信無線部２３８へ出力する。
【００９５】
送信無線部２３８は、乗算器２３２から入力した送信信号及び乗算器２３７から入力した送信信号をベースバンド周波数から無線周波数にアップコンバートしてアンテナ２０１から送信する。
【００９６】
次に、スケジューリング部１１５の詳細な構成について、図３を用いて説明する。図３は、スケジューリング部１１５の構成を示すブロック図である。
【００９７】
端末選択部３０１は、誤り検出部１１１から入力したＡＣＫ信号及びＮＡＣＫ信号より、初回送信の通信端末装置及び再送信の通信端末装置を判定する。そして、端末選択部３０１は、チャネルデコード部１１４から入力した上り回線制御信号ＵＬ−ＳＩ、及び初回送信及び再送信の判定結果に基づいて、通信端末装置の優先順位を決定して、決定した優先順位の順番に並べられた通信端末装置の端末番号をＤＬ−ＳＡ選択部３０５へ出力する。
【００９８】
ＤＬ−ＳＡ記憶部３０２は、ＤＬ−ＳＡ選択部３０５から入力した各通信端末装置における初回送信時の下り回線制御信号ＤＬ−ＳＡを記憶する。そして、ＤＬ−ＳＡ記憶部３０２は、誤り検出部１１１からＡＣＫ信号が入力した場合には、該当する通信端末装置の該当する下り回線制御信号ＤＬ−ＳＡを消去する。また、ＤＬ−ＳＡ記憶部３０２は、誤り検出部１１１からＮＡＣＫ信号が入力した場合には、該当する通信端末装置の該当する下り回線制御信号ＤＬ−ＳＡをそのまま保持し、スケジューリングが開始されると記憶している下り回線制御信号ＤＬ−ＳＡを再送信用受信電力リソース計算部３０３へ出力する。
【００９９】
再送信用受信電力リソース計算部３０３は、ＳＩＲ測定部１０４から入力した各通信端末装置１００のＳＩＲの測定結果、及びＤＬ−ＳＡ記憶部３０２から入力した初回送信時の下り回線制御信号ＤＬ−ＳＡに基づいて、再送信予定の全ての通信端末装置が必要とする合計の電力リソースを計算する。そして、再送信用受信電力リソース計算部３０３は、再送信予定の全ての通信端末装置が必要とする電力リソースの合計値を制御量計算部３０４及びＤＬ−ＳＡ選択部３０５へ出力する。
【０１００】
制限量計算部３０４は、再送信用受信電力リソース計算部３０３から入力した再送信予定の全ての通信端末装置が必要とする受信電力リソースの合計値が、上りパケット用受信電力リソース以下であるか否かを判定する。制限量計算部３０４は、受信電力リソースの合計値が上りパケット用受信電力リソースを超えている場合には、上りパケット用受信電力リソースを超えている量（例えばｘｄＢ）を計算し、上りパケット用受信電力リソースを超えないようにするために受信電力リソースを制限する制限量を再送信予定の各通信端末装置に割り当てる。具体的には、制限量計算部３０４は、再送信予定の各通信端末装置の受信電力リソースの制限量が再送信予定の各通信端末装置において全て同一になるように前記の上りパケット用受信電力リソースを超えている量（例えばｘｄＢ）を再送信予定の各通信端末装置の制限量とする。そして、前記の制限量を再送信予定の各通信端末装置に対して割り当てる。そして、制限量計算部３０４は、割り当てた制限量の情報をＤＬ−ＳＡ選択部３０５へ出力するとともに、割り当てた制限量の情報を下り回線制御信号ＤＬ−ＳＲとしてチャネルエンコード部１１７へ出力する。また、制限量計算部３０４は、受信電力リソースの合計値が上りパケット用受信電力リソース以下である場合には、何も出力しない。
【０１０１】
ＤＬ−ＳＡ選択部３０５は、全ての通信端末装置が初回送信である場合には、ＳＩＲ測定部１０４から入力したＳＩＲの測定結果、チャネルデコード部１１４から入力した上り回線制御信号ＵＬ−ＳＩ及びレート組合せ情報に基づいて、上りパケット用受信電力リソース以下のリソースにて、端末選択部３０１から入力した優先度順に並べられた端末番号の順番にて各通信端末装置に受信電力リソースを割り当てる。そして、ＤＬ−ＳＡ選択部３０５は、割り当てたリソースの情報を下り回線制御信号ＤＬ−ＳＡとしてチャネルエンコード部１２１へ出力する。
【０１０２】
また、ＤＬ−ＳＡ選択部３０５は、初回送信の通信端末装置と再送信の通信端末装置の両方が存在する場合には、再送信用受信電力リソース計算部３０３から入力した再送信予定の通信端末装置に割り当てる受信電力リソースの情報に基づいて、再送信予定の通信端末装置に対して受信電力リソースを割り当てる。そして、ＤＬ−ＳＡ選択部３０５は、制限量計算部３０４にて受信電力リソースが制限されない場合には、上りパケット用受信電力リソースから、再送信予定の通信端末装置の受信電力リソースの合計値を減算した残りのリソースを、初回送信の通信端末装置の受信電力リソースとして割り当てる。また、ＤＬ−ＳＡ選択部３０５は、制限量計算部３０４にて受信電力リソースが制限される場合には、上りパケット用受信電力リソースから、下り回線制御信号ＤＬ−ＳＡにて指示するリソースの制限量を差し引いた再送信予定の通信端末装置の受信電力リソースの合計値を減算した残りのリソースを、初回送信の通信端末装置の受信電力リソースとして割り当てる。
【０１０３】
また、ＤＬ−ＳＡ選択部３０５は、全ての通信端末装置が再送信である場合には、下り回線制御信号ＤＬ−ＳＡは出力しない。
【０１０４】
次に、通信装置１００及び通信端末装置２００の動作について、図４及び図５を用いて説明する。図４及び図５は、通信装置１００及び通信端末装置２００の動作を示すフロー図である。
【０１０５】
最初に、通信端末装置２００は、ＵＬ−ＳＩ生成部２２９にて上り回線制御信号ＵＬ−ＳＩを生成する（ステップＳＴ４０１）。そして、通信端末装置２００は、生成した上り回線制御信号ＵＬ−ＳＩを送信する（ステップＳＴ４０２）。
【０１０６】
次に、通信装置１００は、通信端末装置２００から送信された上り回線制御信号ＵＬ−ＳＩを受信する（ステップＳＴ４０３）。次に、通信装置１００は、誤り検出部１１１にて誤り検出を行う（ステップＳＴ４０４）。また、通信装置１００は、ＳＩＲ測定部１０４にてＳＩＲを測定する（ステップＳＴ４０５）。
【０１０７】
次に、通信装置１００は、スケジューリング部１１５にて、全ての通信端末装置からの受信データに対してＮＡＣＫ信号が有るか否か、即ち誤りが有るか否かを判定する（ステップＳＴ４０６）。誤りがある場合には、スケジューリング部１１５は、再送信予定の通信端末装置の再送信用受信電力リソースを計算する（ステップＳＴ４０７）。次に、スケジューリング部１１５は、全ての再送信予定の通信端末装置の再送信用受信電力リソースの合計値が上りパケット用受信電力リソース以下であるか否かを判定する（ステップＳＴ４０８）。
【０１０８】
再送信用受信電力リソースの合計値が上りパケット用受信電力リソース以下でない場合には、スケジューリング部１１５は、再送信用受信電力リソースが上りパケット用受信電力リソースになるような制限量を再送信予定の通信端末装置に割り当てることにより、再送信用受信電力リソースを制限する（ステップＳＴ４０９）。スケジューリング部１１５は、再送信予定の各通信端末装置の受信電力リソースの制限量が再送信予定の各通信端末装置において全て同一になるように、例えば超過したリソースがｘｄＢであればこれを再送信予定の各通信端末装置の制限量とする。そして、前記制限量を再送信予定の各通信端末装置に対して割り当てる。そして、スケジューリング部１１５は、再送予定の通信端末装置に割り当てた受信電力リソースの制限量を考慮した受信電力リソースを各通信端末装置に割り当てる（ステップＳＴ４１０）。次に、スケジューリング部１１５は、再送予定の通信端末装置に割り当てた受信電力リソースの制限量を下り回線制御信号ＤＬ−ＳＲとして生成する（ステップＳＴ４１１）。
【０１０９】
一方、ステップＳＴ４０６において、全ての通信端末装置について誤りがないので再送の必要がない場合、及びステップＳＴ４０８において、全ての再送信予定の通信端末装置の再送信用受信電力リソースの合計値が上りパケット用受信電力リソース以下である場合には、通信装置１００は、スケジューリング部１１５にてスケジューリングを行い下り回線制御信号ＤＬ−ＳＡを生成する（ステップＳＴ４１２）。
【０１１０】
次に、通信装置１００は、ステップＳＴ４１１にて生成した下り回線制御信号ＤＬ−ＳＲ、またはステップＳＴ４１２にて生成した下り回線制御信号ＤＬ−ＳＡを送信する（ステップＳＴ４１３）。次に、通信端末装置２００は、通信装置１００から送信された下り回線制御信号ＤＬ−ＳＲまたは下り回線制御信号ＤＬ−ＳＡを受信する（ステップＳＴ４１４）。
【０１１１】
次に、通信端末装置２００は、下り回線制御信号ＤＬ−ＳＡを受信した場合には、送信パラメータ設定部２２６にて下り回線制御信号ＤＬ−ＳＡ等に基づいて送信パラメータを設定する（ステップＳＴ４１５）。次に、通信端末装置２００は、オフセット量制御部２２７にて、下り回線制御信号ＤＬ−ＳＲを受信しているか否かを判定する（ステップＳＴ４１６）。下り回線制御信号ＤＬ−ＳＲを受信している場合には、オフセット量制御部２２７は、下り回線制御信号ＤＬ−ＳＲを考慮したオフセット量を計算し、送信電力制御部２２８はオフセット量に基づいて送信電力リソースを割り当てる（ステップＳＴ４１７）。一方、下り回線制御信号ＤＬ−ＳＲを受信していない場合、例えば初回送信時である場合には、下り回線制御信号ＤＬ−ＳＡ等に基づいて送信電力リソースを割り当てる（ステップＳＴ４１８）。次に、通信端末装置２００は、送信電力制御部２２８にて送信電力制御を行い（ステップＳＴ４１９）、通信装置１００により指示された送信電力にて送信パケットデータを送信する。
【０１１２】
次に、下り回線制御信号ＤＬ−ＳＲにより送信電力リソースを割り当てる方法について、例えば通信装置１００が４つの通信端末装置２００に対して送信電力リソースを割り当てる場合について、図６を用いて説明する。図６は、下り回線制御信号ＤＬ−ＳＲにより送信電力リソースを割り当てる方法を示す図である。
【０１１３】
通信端末装置ＭＳ＃６０１は、ＴＴＩ０にて上り回線制御信号ＵＬ−ＳＩ＃６１０を通信装置１００へ送信する（ステップＳＴ６６０）。上り回線制御信号ＵＬ−ＳＩ＃６１０を受信した通信装置１００は、ＴＴＩ０にて下り回線制御信号ＤＬ−ＳＡ＃６１１を通信端末装置ＭＳ＃６０１へ送信する（ステップＳＴ６６１）。
【０１１４】
次に、下り回線制御信号ＤＬ−ＳＡ＃６１１を受信した通信端末装置ＭＳ＃６０１は、下り回線制御信号ＤＬ−ＳＡ＃６１１に基づいて生成した送信パケットデータ＃６１２をＴＴＩ３にて送信する（ステップＳＴ６６２）。また、通信端末装置ＭＳ＃６０２は、ＴＴＩ３にて上り回線制御信号ＵＬ−ＳＩ＃６１３を通信装置１００へ送信する（ステップＳＴ６６３）。
【０１１５】
次に、上り回線制御信号ＵＬ−ＳＩ＃６１３を受信した通信装置１００は、ＴＴＩ３にて下り回線制御信号ＤＬ−ＳＡ＃６１４を通信端末装置ＭＳ＃６０２へ送信する（ステップＳＴ６６４）。また、送信パケットデータ＃６１２を受信した通信装置１００は、誤り判定の結果としてＮＡＣＫ信号＃６１５をＴＴＩ３にて送信する（ステップＳＴ６６５）。
【０１１６】
次に、ＮＡＣＫ信号を受信した通信端末装置ＭＳ＃６０１は、送信パケットデータ＃６１２の１回目の再送データ＃６１６をＴＴＩ６にて送信する（ステップＳＴ６６６）。また、下り回線制御信号ＤＬ−ＳＡ＃６１４を受信した通信端末装置ＭＳ＃６０２は、下り回線制御信号ＤＬ−ＳＡ＃６１４に基づいて生成した送信パケットデータ＃６１７をＴＴＩ６にて送信する（ステップＳＴ６６７）。また、通信端末装置ＭＳ＃６０３は、ＴＴＩ６にて上り回線制御信号ＵＬ−ＳＩ＃６１８を通信装置１００へ送信する（ステップＳＴ６６８）。
【０１１７】
次に、上り回線制御信号ＵＬ−ＳＩ＃６１８を受信した通信装置１００は、ＴＴＩ６にて下り回線制御信号ＤＬ−ＳＡ＃６１９を通信端末装置ＭＳ＃６０３へ送信する（ステップＳＴ６６９）。また、送信パケットデータ＃６１７を受信した通信装置１００は、誤り判定の結果としてＮＡＣＫ信号＃６２０をＴＴＩ６にて送信する（ステップＳＴ６７０）。また、再送データ＃６１６を受信した通信装置１００は、誤り判定の結果としてＮＡＣＫ信号＃６２１をＴＴＩ６にて送信する（ステップＳＴ６７１）。
【０１１８】
次に、ＮＡＣＫ信号を受信した通信端末装置ＭＳ＃６０１は、送信パケットデータ＃６１２の２回目の再送データ＃６２２をＴＴＩ９にて送信する（ステップＳＴ６７２）。また、ＮＡＣＫ信号を受信した通信端末装置ＭＳ＃６０２は、送信パケットデータ＃６１７の１回目の再送データ＃６２３をＴＴＩ９にて送信する（ステップＳＴ６７３）。また、下り回線制御信号ＤＬ−ＳＡ＃６１９を受信した通信端末装置ＭＳ＃６０３は、下り回線制御信号ＤＬ−ＳＡ＃６１９に基づいて生成した送信パケットデータ＃６２４をＴＴＩ９にて送信する（ステップＳＴ６７４）。また、通信端末装置ＭＳ＃６０４は、ＴＴＩ９にて上り回線制御信号ＵＬ−ＳＩ＃６２５を通信装置１００へ送信する（ステップＳＴ６７５）。
【０１１９】
次に、上り回線制御信号ＵＬ−ＳＩ＃６２５を受信した通信装置１００は、ＴＴＩ９にて下り回線制御信号ＤＬ−ＳＡ＃６２６を通信端末装置ＭＳ＃６０４へ送信する（ステップＳＴ６７６）。また、送信パケットデータ＃６２４を受信した通信装置１００は、誤り判定の結果としてＮＡＣＫ信号＃６２７をＴＴＩ９にて送信する（ステップＳＴ６７７）。また、再送データ＃６２３を受信した通信装置１００は、誤り判定の結果としてＮＡＣＫ信号＃６２８をＴＴＩ９にて送信する（ステップＳＴ６７８）。また、再送データ＃６２２を受信した通信装置１００は、誤り判定の結果としてＮＡＣＫ信号＃６２９をＴＴＩ９にて送信する（ステップＳＴ６７９）。
【０１２０】
次に、ＮＡＣＫ信号を受信した通信端末装置ＭＳ＃６０１は、送信パケットデータ＃６１２の３回目の再送データ＃６３０をＴＴＩ１２にて送信する（ステップＳＴ６８０）。また、ＮＡＣＫ信号を受信した通信端末装置ＭＳ＃６０２は、送信パケットデータ＃６１７の２回目の再送データ＃６３１をＴＴＩ１２にて送信する（ステップＳＴ６８１）。また、ＮＡＣＫ信号を受信した通信端末装置ＭＳ＃６０３は、送信パケットデータ＃６２４の１回目の再送データ＃６３２をＴＴＩ１２にて送信する（ステップＳＴ６８２）。また、下り回線制御信号ＤＬ−ＳＡ＃６２６を受信した通信端末装置ＭＳ＃６０４は、下り回線制御信号ＤＬ−ＳＡ＃６２６に基づいて生成した送信パケットデータ＃６３３をＴＴＩ１２にて送信する（ステップＳＴ６８３）。
【０１２１】
次に、送信パケットデータ＃６３３を受信した通信装置１００は、誤り判定の結果としてＮＡＣＫ信号＃６３４をＴＴＩ１２にて送信する（ステップＳＴ６８４）。また、再送データ＃６３２を受信した通信装置１００は、誤り判定の結果としてＮＡＣＫ信号＃６３５をＴＴＩ１２にて送信する（ステップＳＴ６８５）。また、再送データ＃６３１を受信した通信装置１００は、誤り判定の結果としてＮＡＣＫ信号＃６３６をＴＴＩ１２にて送信する（ステップＳＴ６８６）。また、再送データ＃６３０を受信した通信装置１００は、誤り判定の結果としてＮＡＣＫ信号＃６３７をＴＴＩ１２にて送信する（ステップＳＴ６８７）。
【０１２２】
次に、ＮＡＣＫ信号を受信した通信端末装置ＭＳ＃６０１は、送信パケットデータ＃６１２の４回目の再送データ＃６３８をＴＴＩ１５にて送信する（ステップＳＴ６８８）。また、ＮＡＣＫ信号を受信した通信端末装置ＭＳ＃６０２は、送信パケットデータ＃６１７の３回目の再送データ＃６３９をＴＴＩ１５にて送信する（ステップＳＴ６８９）。また、ＮＡＣＫ信号を受信した通信端末装置ＭＳ＃６０３は、送信パケットデータ＃６２４の２回目の再送データ＃６４０をＴＴＩ１５にて送信する（ステップＳＴ６９０）。また、ＮＡＣＫ信号を受信した通信端末装置ＭＳ＃６０４は、送信パケットデータ＃６３３の１回目の再送データ＃６４１をＴＴＩ１５にて送信する（ステップＳＴ６９１）。
【０１２３】
次に、再送データ＃６４１を受信した通信装置１００は、誤り判定の結果としてＮＡＣＫ信号＃６４２をＴＴＩ１５にて送信する（ステップＳＴ６９２）。また、再送データ＃６４０を受信した通信装置１００は、誤り判定の結果としてＮＡＣＫ信号＃６４３をＴＴＩ１５にて送信する（ステップＳＴ６９３）。また、再送データ＃６３９を受信した通信装置１００は、誤り判定の結果としてＮＡＣＫ信号＃６４４をＴＴＩ１５にて送信する（ステップＳＴ６９４）。また、再送データ＃６３８を受信した通信装置１００は、誤り判定の結果としてＮＡＣＫ信号＃６４５をＴＴＩ１５にて送信する（ステップＳＴ６９５）。そして、以下は同様に上記の処理を繰り返す。
【０１２４】
図７は、図６に対応した通信端末装置に割り当てられるリソースを示す図である。なお、図７において、受信電力Ｐ７０３は熱雑音による受信電力であり、受信電力Ｐ７０２−Ｐ７０３は干渉成分による受信電力である。
【０１２５】
ＴＴＩ３においては、通信端末装置に割り当てられるリソースの合計値が総受信電力の目標値Ｐ７０１より小さいので、通信装置１００は、ＴＴＩ３にて受信電力リソースの制限量「０」を示す下り回線制御信号ＤＬ−ＳＲ＃６５０を送信する。
【０１２６】
次に、ＴＴＩ６においては、通信端末装置に割り当てられるリソースの合計値が総受信電力の目標値Ｐ７０１より小さいので、通信装置１００は、ＴＴＩ６にて受信電力リソースの制限量「０」を示す下り回線制御信号ＤＬ−ＳＲ＃６５１を送信する。
【０１２７】
次に、ＴＴＩ９においては、通信端末装置に割り当てられるリソースの合計値が総受信電力の目標値Ｐ７０１より小さいので、通信装置１００は、ＴＴＩ９にて受信電力リソースの制限量「０」を示す下り回線制御信号ＤＬ−ＳＲ＃６５２を送信する。
【０１２８】
次に、ＴＴＩ１２においては、リソースを制限しない場合には、通信端末装置に割り当てられるリソースの合計値が総受信電力の目標値Ｐ７０１より大きくなるので、通信装置１００は、ＴＴＩ１２にて受信電力リソースの制限量「１」を示す下り回線制御信号ＤＬ−ＳＲ＃６５３を送信する。この時、例えば、通信端末装置ＭＳ＃６０１の下り回線制御信号ＤＬ−ＳＲを考慮しない受信電力リソースがａ［ｄＢ］、通信端末装置ＭＳ＃６０２の下り回線制御信号ＤＬ−ＳＲを考慮しない受信電力リソースがｂ［ｄＢ］、通信端末装置ＭＳ＃６０３の下り回線制御信号ＤＬ−ＳＲを考慮しない受信電力リソースがｃ［ｄＢ］、及び通信端末装置ＭＳ＃６０４の下り回線制御信号ＤＬ−ＳＲを考慮しない受信電力リソースがｄ［ｄＢ］である場合、下り回線制御信号ＤＬ−ＳＲを考慮することにより、通信端末装置ＭＳ＃６０１には受信電力リソースとしてａ−１［ｄＢ］が割り当てられ、通信端末装置ＭＳ＃６０２には受信電力リソースとしてｂ−１［ｄＢ］が割り当てられ、通信端末装置ＭＳ＃６０３には受信電力リソースとしてｃ−１［ｄＢ］が割り当てられるとともに、通信端末装置ＭＳ＃６０４には受信電力リソースとしてｄ−１［ｄＢ］が割り当てられる。
【０１２９】
次に、ＴＴＩ１５においては、通信端末装置に割り当てられるリソースの合計値が総受信電力の目標値Ｐ７０１より大きくなるので、通信装置１００は、ＴＴＩ１５にて受信電力リソースの制限量「２」を示す下り回線制御信号ＤＬ−ＳＲ＃６５４を送信する。この時、例えば、通信端末装置ＭＳ＃６０１の下り回線制御信号ＤＬ−ＳＲを考慮しない受信電力リソースがａ［ｄＢ］、通信端末装置ＭＳ＃６０２の下り回線制御信号ＤＬ−ＳＲを考慮しない受信電力リソースがｂ［ｄＢ］、通信端末装置ＭＳ＃６０３の下り回線制御信号ＤＬ−ＳＲを考慮しない受信電力リソースがｃ［ｄＢ］、及び通信端末装置ＭＳ＃６０４の下り回線制御信号ＤＬ−ＳＲを考慮しない受信電力リソースがｄ［ｄＢ］である場合、下り回線制御信号ＤＬ−ＳＲを考慮することにより、通信端末装置ＭＳ＃６０１には受信電力リソースとしてａ−２［ｄＢ］が割り当てられ、通信端末装置ＭＳ＃６０２には受信電力リソースとしてｂ−２［ｄＢ］が割り当てられ、通信端末装置ＭＳ＃６０３には受信電力リソースとしてｃ−２［ｄＢ］が割り当てられるとともに、通信端末装置ＭＳ＃６０４には受信電力リソースとしてｄ−２［ｄＢ］が割り当てられる。
【０１３０】
再送信予定の通信端末装置が存在する場合、下り回線制御信号ＤＬ−ＳＲを追加しているのみであるため、下り回線制御信号の量としては、全ての再送信予定の通信端末装置に対して下り回線制御信号ＤＬ−ＳＡを送信する場合と比較して、制御信号の量は大幅に少なくなる。これは、再送信予定の通信端末装置が多いほど大きな効果となる。図６及び図７は、同時に初回送信を許可する通信端末の数は１とした場合であるが、実際には同時に初回送信を許可する通信端末の数は５〜１０程度になると考えられ、少なくとも同時に再送信する通信端末装置の数が１０〜２０程度になると仮定すると、再送信予定の通信端末装置のために必要となるシグナリング量は１０分の１と２０分の１の間になり、下り回線のスループットへの影響は非常に小さい。
【０１３１】
図８は、下り回線制御信号ＤＬ−ＳＲによるシグナリングを示す図であり、この場合の下り回線制御信号ＤＬ−ＳＲは、各通信端末装置の初回送信時の送信パラメータ設定部２２６にて設定されるオフセット量に対する制限量、即ちＤＰＣＣＨ等の特定のチャネルのリソースのオフセット値に対する制限量を示すものである。受信電力リソースのオフセット値に対する制限量「０」を示す下り回線制御信号ＤＬ−ＳＲは「００」であり、受信電力リソースのオフセット値に対する制限量「１」を示す下り回線制御信号ＤＬ−ＳＲは「０１」であり、受信電力リソースのオフセット値に対する制限量「２」を示す下り回線制御信号ＤＬ−ＳＲは「１０」であり、受信電力リソースのオフセット値に対する制限量「３」を示す下り回線制御信号ＤＬ−ＳＲは「１１」である。なお、図８は、リソースを制限しない場合にも下り回線制御信号ＤＬ−ＳＲを送信する場合について示すものであるが、リソースを制限しない場合には下り回線制御信号ＤＬ−ＳＲを送信しないようにしても良い。
【０１３２】
図９は、下り回線のＤＬ−ＳＲによるシグナリングの他の例を示す図であり、この場合の下り回線制御信号ＤＬ−ＳＲは、各通信端末装置の初回送信時の送信電力オフセット、即ちＤＰＣＣＨ等の基準となるチャネルに対するオフセット値を示すものである。受信電力リソースのオフセットに対する制限量「０」を示す下り回線制御信号ＤＬ−ＳＲは「００」であり、受信電力リソースのオフセットに対する制限量「１」を示す下り回線制御信号ＤＬ−ＳＲは「０１」であり、受信電力リソースのオフセットに対する制限量「２」を示す下り回線制御信号ＤＬ−ＳＲは「１０」であり、再送停止を指示する下り回線制御信号ＤＬ−ＳＲは「１１」である。なお、図９は、リソースを制限しない場合にも下り回線制御信号ＤＬ−ＳＲを送信する場合について示すものであるが、リソースを制限しない場合には下り回線制御信号ＤＬ−ＳＲを送信しないようにしても良い。
【０１３３】
図１０は、下り回線のＤＬ−ＳＲによるシグナリングのさらに他の例を示す図である。この場合、図２において、チャネルデコード部２１６から出力された下り回線制御信号ＤＬ−ＳＲが送信電力制御部２２８に入力することにより、送信電力制御部２２８が下り回線制御信号ＤＬ−ＳＲにて指示された制限量だけ送信電力を制限する。受信電力リソースの制限量「０」を示す下り回線制御信号ＤＬ−ＳＲは「００」であり、受信電力リソースの制限量「１」を示す下り回線制御信号ＤＬ−ＳＲは「０１」であり、受信電力リソースの制限量「２」を示す下り回線制御信号ＤＬ−ＳＲは「１０」であり、受信電力リソースの制限量「３」を示す下り回線制御信号ＤＬ−ＳＲは「１１」である。なお、図１０は、リソースを制限しない場合にも下り回線制御信号ＤＬ−ＳＲを送信する場合について示すものであるが、リソースを制限しない場合には下り回線制御信号ＤＬ−ＳＲを送信しないようにしても良い。
【０１３４】
図１１は、下り回線のＤＬ−ＳＲによるシグナリングのさらに他の例を示す図である。この場合、図２において、チャネルデコード部２１６から出力された下り回線制御信号ＤＬ−ＳＲが送信電力制御部２２８に入力することにより、送信電力制御部２２８が下り回線制御信号ＤＬ−ＳＲにて指示された制限量だけ送信電力を制限する。受信電力リソースの制限量「０」を示す下り回線制御信号ＤＬ−ＳＲは「００」であり、受信電力リソースの制限量「１」を示す下り回線制御信号ＤＬ−ＳＲは「０１」であり、受信電力リソースの制限量「２」を示す下り回線制御信号ＤＬ−ＳＲは「１０」であり、再送停止を指示する下り回線制御信号ＤＬ−ＳＲは「１１」である。なお、図１１は、リソースを制限しない場合にも下り回線制御信号ＤＬ−ＳＲを送信する場合について示すものであるが、リソースを制限しない場合には下り回線制御信号ＤＬ−ＳＲを送信しないようにしても良い。
【０１３５】
また、下り回線のＤＬ−ＳＲによるシグナリングのさらに他の例としては、初回送信時に通信端末装置に割り当てたリソースまたは特定のチャネルのリソースと、リソースの制限量との差の情報にしても良い。
【０１３６】
このように、本実施の形態１によれば、再送予定の通信端末装置の受信品質に基づいて下り回線制御信号ＤＬ−ＳＡにより割り当てられるリソースからの共通の制限量を、再送予定の通信端末装置に割り当てることにより最大割当可能リソース内にてリソースを割り当てるとともに、再送予定の通信端末装置に対して共通の制限量の情報として下り回線制御信号ＤＬ−ＳＡを送信するので、総受信電力の目標値に対する正確な制御と下り回線制御信号の量を少なくすることとの両立を図ることができるとともに、上り回線及び下り回線のスループットの低下を防ぐことができる。
【０１３７】
なお、実施の形態１において、基地局の総受信電力の目標値に対して正確に制御するために下り回線制御信号ＤＬ−ＳＲを使用することにしたが、これに限らず、再送信と初回送信のリソースの割り当ての割合を制御するために下り回線制御信号ＤＬ−ＳＲを用いても良い。この場合には、さらに柔軟なシステム運営を行うことが可能である。
【０１３８】
（実施の形態２）
図１２は、本発明の実施の形態２に係るスケジューリング部１１５の構成を示すブロック図である。
【０１３９】
本実施の形態２に係るスケジューリング部１１５は、図３に示す実施の形態１に係るスケジューリング部１１５において、図１２に示すように、変換部１２０１を追加する。なお、図１２においては、図３と同一構成である部分には同一の符号を付してその説明は省略する。また、スケジューリング部１１５を備える通信装置の構成は図１と同一構成であるとともに、通信端末装置の構成は図２と同一構成であるので、その説明は省略する。
【０１４０】
制限量計算部３０４は、再送信用受信電力リソース計算部３０３から入力した再送信予定の全ての通信端末装置が必要とする受信電力リソースの合計値が、上りパケット用受信電力リソース以下であるか否かを判定する。制限量計算部３０４は、受信電力リソースの合計値が上りパケット用受信電力リソースを超えている場合には、上りパケット用受信電力リソースを超えている量（例えばｘｄＢ）を計算し、上りパケット用受信電力リソースを超えないようにするために受信電力リソースを制限する制限量を再送信予定の各通信端末装置に割り当てる。具体的には、制限量計算部３０４は、再送信予定の各通信端末装置の受信電力リソースの制限量が再送信予定の各通信端末装置において全て同一になるように前記ｘｄＢを再送信予定の各通信端末装置の制限量とする。そして、前記制限量を再送信予定の各通信端末装置に対して割り当てる。そして、制限量計算部３０４は、求めた制限量の情報をＤＬ−ＳＡ選択部３０５へ出力するとともに、求めた制限量の情報を変換部１２０１へ出力する。また、制限量計算部３０４は、受信電力リソースの合計値が上りパケット用受信電力リソース以下である場合には、何も出力しない。
【０１４１】
変換部１２０１は、制限量計算部３０４から入力した制限量の情報より、リソースの制限量を伝送レートまたは情報ビット数に変換する。そして、変換部１２０１は、変換した伝送レートの情報または情報ビット数の情報を下り回線制御信号ＤＬ−ＳＲとしてチャネルエンコード部１１７へ出力する。例えば、変換部１２０１は、伝送レートまたは情報ビット数を複数のレベルに分けるとともに、リソースの制限量とレベルの変更幅とを関係付けた変換情報を記憶したテーブルを保存し、制限量計算部３０４から入力した制限量の情報を用いて変換情報を参照することにより、レベルの変更幅を選択する。なお、通信装置と通信端末装置は、同一の変換情報を記憶しているので、下り回線制御信号ＤＬ−ＳＲを受信した通信端末装置は、下り回線制御信号ＤＬ−ＳＲに基づいて伝送レートまたは情報ビット数または送信電力または送信電力オフセットを変更することができる。
【０１４２】
図１３は、伝送レートを８つのレベルに分けた状態を示す図である。また、図１４は、情報ビット数を８つのレベルに分けた状態を示す図である。
【０１４３】
図１５は、下り回線のＤＬ−ＳＲを示す図であり、伝送レートを示す下り回線制御信号ＤＬ−ＳＲの場合及び情報ビット数を示す下り回線制御信号ＤＬ−ＳＲの場合の両方に共通に適用できる。受信電力リソースの制限量「０」、即ちレベルを下げないことを示す下り回線制御信号ＤＬ−ＳＲは「００」であり、受信電力リソースの制限量「ｘ１」、即ち１レベル下げることを示す下り回線制御信号ＤＬ−ＳＲは「０１」であり、受信電力リソースの制限量「ｘ２」、即ち２レベル下げることを示す下り回線制御信号ＤＬ−ＳＲは「１０」であり、受信電力リソースの制限量「ｘ３」、即ち３レベル下げることを示す下り回線制御信号ＤＬ−ＳＲは「１１」である。なお、図１５は、リソースを制限しない場合にも下り回線制御信号ＤＬ−ＳＲを送信する場合について示すものであるが、リソースを制限しない場合には下り回線制御信号ＤＬ−ＳＲを送信しないようにしても良い。
【０１４４】
図１６は、下り回線制御信号ＤＬ−ＳＲの他の例を示す図であり、伝送レートを示す下り回線制御信号ＤＬ−ＳＲの場合及び情報ビット数を示す下り回線制御信号ＤＬ−ＳＲの場合の両方に共通に適用できる。受信電力リソースの制限量「０」、即ちレベルを下げないことを示す下り回線制御信号ＤＬ−ＳＲは「００」であり、受信電力リソースの制限量「ｘ１」、即ち１レベル下げることを示す下り回線制御信号ＤＬ−ＳＲは「０１」であり、受信電力リソースの制限量「ｘ２」、即ち２レベル下げることを示す下り回線制御信号ＤＬ−ＳＲは「１０」であり、再送停止を指示する下り回線制御信号ＤＬ−ＳＲは「１１」である。なお、図１６は、リソースを制限しない場合にも下り回線制御信号ＤＬ−ＳＲを送信する場合について示すものであるが、リソースを制限しない場合には下り回線制御信号ＤＬ−ＳＲを送信しないようにしても良い。
【０１４５】
このように、本実施の形態２によれば、上記実施の形態１の効果に加えて、下り回線制御信号ＤＬ−ＳＲを受信した通信端末装置は、別の伝送レート用の送信電力や送信電力オフセットの設定に切替えるだけで済むので送信電力を再計算する必要がなく、簡易なシステムにすることができるとともに、通信端末装置における信号処理を早くすることができる。
【０１４６】
なお、実施の形態２において、基地局の総受信電力の目標値に対して正確に制御するために下り回線制御信号ＤＬ−ＳＲを使用することにしたが、これに限らず、再送信と初回送信のリソースの割り当ての割合を制御するために下り回線制御信号ＤＬ−ＳＲを用いても良い。この場合には、さらに柔軟なシステム運営を行うことが可能である。
【０１４７】
（実施の形態３）
図１７は、本発明の実施の形態３に係る通信装置１７００の構成を示すブロック図である。
【０１４８】
本実施の形態３に係る通信装置１７００は、図１に示す実施の形態１に係る通信装置１００において、図１７に示すように、スケジューリング部１１５に代えてスケジューリング部１７０１を有する。なお、図１７においては、図１と同一構成である部分には同一の符号を付してその説明は省略する。
【０１４９】
ＳＩＲ測定部１０４は、逆拡散部１０３から入力した受信信号に含まれるパイロット信号を用いてＳＩＲを測定して、測定したＳＩＲの測定値の情報をＴＰＣ生成部１０５及びスケジューリング部１７０１へ出力する。
【０１５０】
スケジューリング部１７０１は、各受信信号処理部１３６−１〜１３６−ｎのＳＩＲ測定部１０４から入力したＳＩＲの測定値の情報、誤り検出部１１１から入力したＡＣＫ信号またはＮＡＣＫ信号、チャネルデコード部１１４から入力した上り回線制御信号ＵＬ−ＳＩ、図示しない記憶部にあらかじめ記憶されている送信レートの候補の情報であるレート組合せ情報及び通信端末装置に割り当てることができる最大のリソースである上りパケット用受信電力リソースの情報に基づいてスケジューリングを行って、各通信端末装置にリソースを割り当てる。そして、スケジューリング部１７０１は、割り当てた各通信端末装置のリソースの情報を下り回線制御信号ＤＬ−ＳＡとしてチャネルエンコード部１２１へ出力するとともに、再送信予定の通信端末装置に割り当てるリソースが上りパケット用受信電力リソースを超える場合には、再送信予定の通信端末装置に共通のリソースの制限量を割り当て、割り当てた共通の制限量の情報を下り回線制御信号ＤＬ−ＳＲ（Down Link Scheduling Restriction）としてチャネルデコード部１１７へ出力する。この時、スケジューリング部１７０１は、各通信端末装置の送信回数をカウントして、送信回数に基づいたグループ化を行い、グループ毎に共通の制限量を割り当てる。なお、スケジューリング部１７０１の詳細については後述する。
【０１５１】
チャネルエンコード部１１７は、スケジューリング部１７０１から入力した下り回線制御信号ＤＬ−ＳＲを含む送信データを符号化して変調部１１８へ出力する。
【０１５２】
チャネルエンコード部１２１は、スケジューリング部１７０１から入力した下り回線制御信号ＤＬ−ＳＡを含む送信データを符号化して変調部１２２へ出力する。
【０１５３】
次に、スケジューリング部１７０１の構成の詳細について、図１８を用いて説明する。図１８は、スケジューリング部１７０１の構成を示すブロック図である。本実施の形態３に係るスケジューリング部１７０１は、図３に示す実施の形態１に係るスケジューリング部１１５において、図１８に示すように、グループ化処理部１８０１を追加する。なお、図１８においては、図３と同一構成である部分には同一の符号を付してその説明は省略する。
【０１５４】
グループ化処理部１８０１は、誤り検出部１１１から入力したＡＣＫ信号またはＮＡＣＫ信号より、通信端末装置毎に送信回数をカウントして、送信回数毎に通信端末装置をグループ化する。そして、グループ化処理部１８０１は、グループ化の情報を再送信用受信電力リソース計算部３０３へ出力する。
【０１５５】
再送信用受信電力リソース計算部３０３は、ＳＩＲ測定部１０４から入力した各通信端末装置のＳＩＲの測定結果、ＤＬ−ＳＡ記憶部３０２から入力した初回送信時の下り回線制御信号ＤＬ−ＳＡ及びグループ化処理部１８０１から入力したグループ化の情報に基づいて、再送信予定の全ての通信端末装置が必要とする合計の電力リソースを計算する。そして、再送信用受信電力リソース計算部３０３は、送信回数によりグループ化した再送信予定の全ての通信端末装置が必要とする電力リソースの合計値を制御量計算部３０４及びＤＬ−ＳＡ選択部３０５へ出力する。
【０１５６】
制限量計算部３０４は、再送信用受信電力リソース計算部３０３から入力した再送信予定の全ての通信端末装置が必要とする受信電力リソースの合計値が、上りパケット用受信電力リソース以下であるか否かを判定する。制限量計算部３０４は、受信電力リソースの合計値が上りパケット用受信電力リソースを超えている場合には、上りパケット用受信電力リソースを超えている量（例えばｘｄＢ）を計算し、上りパケット用受信電力リソースを超えないようにするために受信電力リソースを制限する制限量を各グループの再送信予定の各通信端末装置に割り当てる。具体的には、制限量計算部３０４は、再送信予定の各通信端末装置の受信電力リソースの制限量が再送信予定の各通信端末装置において全て同一になるように前記ｘｄＢを再送信予定の各通信端末装置の制限量とする。そして、前記制限量を再送信予定の各通信端末装置に対して割り当てる。そして、制限量計算部３０４は、求めたグループ毎の制限量の情報をＤＬ−ＳＡ選択部３０５へ出力するとともに、求めたグループ毎の制限量の情報を下り回線制御信号ＤＬ−ＳＲとしてチャネルエンコード部１１７へ出力する。また、制限量計算部３０４は、受信電力リソースの合計値が上りパケット用受信電力リソース以下である場合には、何も出力しない。
【０１５７】
図１９は、送信回数が２回以上でかつしきい値Ｎ未満の通信端末装置のグループＧ１と、送信回数がしきい値Ｎ以上の通信端末装置のグループＧ２の２つのグループに分けた場合の下り回線制御信号ＤＬ−ＳＲを示す図である。この場合の下り回線制御信号ＤＬ−ＳＲは、各通信端末装置の初回送信時の送信電力オフセット、即ちＤＰＣＣＨ等の基準となるチャネルに対するオフセットに対する制限量を示すものである。グループＧ１及びグループＧ２の両方の通信端末装置において、受信電力リソースのオフセットに対する制限量「０」を示す下り回線制御信号ＤＬ−ＳＲは「００」であり、受信電力リソースのオフセットに対する制限量「１」を示す下り回線制御信号ＤＬ−ＳＲは「０１」であり、受信電力リソースのオフセットに対する制限量「２」を示す下り回線制御信号ＤＬ−ＳＲは「１０」であり、受信電力リソースのオフセットに対する制限量「３」を示す下り回線制御信号ＤＬ−ＳＲは「１１」である。なお、図１９は、リソースを制限しない場合にも下り回線制御信号ＤＬ−ＳＲを送信する場合について示すものであるが、リソースを制限しない場合には下り回線制御信号ＤＬ−ＳＲを送信しないようにしても良い。
【０１５８】
図２０は、送信回数毎にグループ化した場合の下り回線のＤＬ−ＳＲを示す図である。この場合の下り回線制御信号ＤＬ−ＳＲは、各通信端末装置の初回送信時の送信電力オフセット、即ちＤＰＣＣＨ等の基準となるチャネルに対するオフセットに対する制限量を示すものである。各グループの通信端末装置において、受信電力リソースのオフセットに対する制限量「０」を示す下り回線制御信号ＤＬ−ＳＲは「００」であり、受信電力リソースのオフセットに対する制限量「１」を示す下り回線制御信号ＤＬ−ＳＲは「０１」であり、受信電力リソースのオフセットに対する制限量「２」を示す下り回線制御信号ＤＬ−ＳＲは「１０」であり、受信電力リソースのオフセットに対する制限量「３」を示す下り回線制御信号ＤＬ−ＳＲは「１１」である。なお、図２０は、リソースを制限しない場合にも下り回線制御信号ＤＬ−ＳＲを送信する場合について示すものであるが、リソースを制限しない場合には下り回線制御信号ＤＬ−ＳＲを送信しないようにしても良い。
【０１５９】
このように、本実施の形態３によれば、上記実施の形態１の効果に加えて、送信回数に応じた重み付けによりリソースを割り当てることができるので、システムの効率を向上させることができる。
【０１６０】
なお、本実施の形態３において、各グループの下り回線制御信号ＤＬ−ＳＲを送信することとしたが、これに限らず、各グループの下り回線制御信号を１つにまとめて符号化して送信しても良い。また、実施の形態３において、基地局の総受信電力の目標値に対して正確に制御するために下り回線制御信号ＤＬ−ＳＲを使用することにしたが、これに限らず、再送信と初回送信のリソースの割り当ての割合を制御するために下り回線制御信号ＤＬ−ＳＲを用いても良い。この場合には、さらに柔軟なシステム運営を行うことが可能である。
【０１６１】
（実施の形態４）
図２１は、本発明の実施の形態４に係る通信装置２１００の構成を示すブロック図である。
【０１６２】
本実施の形態４に係る通信装置２１００は、図１に示す実施の形態１に係る通信装置１００において、図２１に示すように、スケジューリング部１１５の代わりにスケジューリング部２１０１を有する。なお、図２１においては、図１と同一構成である部分には同一の符号を付してその説明は省略する。
【０１６３】
ＳＩＲ測定部１０４は、逆拡散部１０３から入力した受信信号に含まれるパイロット信号を用いてＳＩＲを測定して、測定したＳＩＲの測定値の情報をＴＰＣ生成部１０５及びスケジューリング部２１０１へ出力する。
【０１６４】
スケジューリング部２１０１は、各受信信号処理部１３６−１〜１３６−ｎのＳＩＲ測定部１０４から入力したＳＩＲの測定値の情報、誤り検出部１１１から入力したＡＣＫ信号またはＮＡＣＫ信号、チャネルデコード部１１４から入力した上り回線制御信号ＵＬ−ＳＩ、図示しない記憶部にあらかじめ記憶されている送信レートの候補の情報であるレート組合せ情報及び通信端末装置に割り当てることができる最大のリソースである上りパケット用受信電力リソースの情報に基づいてスケジューリングを行って、各通信端末装置にリソースを割り当てる。そして、スケジューリング部２１０１は、割り当てた各通信端末装置のリソースの情報を下り回線制御信号ＤＬ−ＳＡとしてチャネルエンコード部１２１へ出力するとともに、再送信予定の通信端末装置に割り当てるリソースが上りパケット用受信電力リソースを超える場合には、再送信予定の通信端末装置に共通のリソースの制限量を割り当て、割り当てた共通の制限量の情報を下り回線制御信号ＤＬ−ＳＲ（Down Link Scheduling Restriction）としてチャネルデコード部１１７へ出力する。この時、スケジューリング部２１０１は、グループ化情報に基づいて再送予定の各通信端末装置を複数のグループに分けるグループ化を行い、グループ毎に共通の制限量を割り当てる。なお、スケジューリング部２１０１の詳細については後述する。
【０１６５】
チャネルエンコード部１１７は、スケジューリング部２１０１から入力した下り回線制御信号ＤＬ−ＳＲを含む送信データを符号化して変調部１１８へ出力する。
【０１６６】
チャネルエンコード部１２１は、スケジューリング部２１０１から入力した下り回線制御信号ＤＬ−ＳＡを含む送信データを符号化して変調部１２２へ出力する。
【０１６７】
次に、スケジューリング部２１０１の構成の詳細について、図２２を用いて説明する。図２２は、スケジューリング部２１０１の構成を示すブロック図である。本実施の形態４に係るスケジューリング部２１０１は、図３に示す実施の形態１に係るスケジューリング部１１５において、図２２に示すように、グループ化処理部２２０１を追加する。なお、図２２においては、図３と同一構成である部分には同一の符号を付してその説明は省略する。
【０１６８】
グループ化処理部２２０１は、誤り検出部１１１から入力したＡＣＫ信号またはＮＡＣＫ信号より、再送予定の通信端末装置を選択し、選択した再送予定の通信端末装置をグループ化情報に基づいて複数のグループに分けるグループ化を行う。そして、グループ化処理部２２０１は、グループ化の情報を再送信用受信電力リソース計算部３０３へ出力する。ここで、グループ化情報は、上り回線パケットの送信時間間隔（ＴＴＩ）の情報、チャネルの優先度の情報、キュー番号の情報または通信端末装置がソフトハンドオーバ状態であるか否かの情報である。
【０１６９】
再送信用受信電力リソース計算部３０３は、ＳＩＲ測定部１０４から入力した各通信端末装置のＳＩＲの測定結果、ＤＬ−ＳＡ記憶部３０２から入力した初回送信時の下り回線制御信号ＤＬ−ＳＡ及びグループ化処理部２２０１から入力したグループ化の情報に基づいて、再送信予定の全ての通信端末装置が必要とする合計の電力リソースを計算する。そして、再送信用受信電力リソース計算部３０３は、送信回数によりグループ化した再送信予定の全ての通信端末装置が必要とする電力リソースの合計値を制御量計算部３０４及びＤＬ−ＳＡ選択部３０５へ出力する。
【０１７０】
制限量計算部３０４は、再送信用受信電力リソース計算部３０３から入力した再送信予定の全ての通信端末装置が必要とする受信電力リソースの合計値が、上りパケット用受信電力リソース以下であるか否かを判定する。制限量計算部３０４は、受信電力リソースの合計値が上りパケット用受信電力リソースを超えている場合には、上りパケット用受信電力リソースを超えている量（例えばｘｄＢ）を計算し、上りパケット用受信電力リソースを超えないようにするために受信電力リソースを制限する制限量を各グループの再送信予定の各通信端末装置に割り当てる。具体的には、制限量計算部３０４は、再送信予定の各通信端末装置の受信電力リソースの制限量が再送信予定の各通信端末装置において全て同一になるように前記ｘｄＢを再送信予定の各通信端末装置の制限量とする。そして、前記制限量を再送信予定の各通信端末装置に対して割り当てる。そして、制限量計算部３０４は、求めたグループ毎の制限量の情報をＤＬ−ＳＡ選択部３０５へ出力するとともに、求めたグループ毎の制限量の情報を下り回線制御信号ＤＬ−ＳＲとしてチャネルエンコード部１１７へ出力する。また、制限量計算部３０４は、受信電力リソースの合計値が上りパケット用受信電力リソース以下である場合には、何も出力しない。なお、下り回線制御信号ＤＬ−ＳＲは、送信回数を上り回線パケットの送信時間間隔（ＴＴＩ）の情報、チャネルの優先度の情報、キュー番号の情報または通信端末装置がソフトハンドオーバ状態であるか否かの情報のグループ化情報に代わる以外は、図１９及び図２０と同一であるので、その説明は省略する。
【０１７１】
このように、本実施の形態４によれば、上記実施の形態１の効果に加えて、グループ化情報に応じた重み付けによりリソースを割り当てることができるので、システムの効率を向上させることができる。また、本実施の形態４によれば、グループ化情報が上り回線パケットの送信時間間隔の情報である場合には、送信時間間隔に応じて通信端末装置に割り当てるリソースを調整できるので柔軟なシステム運営を行うことができる。また、本実施の形態４によれば、グループ化情報がチャネルの優先度の情報である場合には、例えば高いリアルタイム性が要求されるグループに多くのリソースを割り当てることができるので、ＱｏＳを考慮したシステム運営を行うことができる。また、本実施の形態４によれば、グループ化情報がキュー番号の情報である場合には、ＱｏＳを考慮したシステム運営を行うことができる。また、本実施の形態４によれば、グループ化情報が通信端末装置がソフトハンドオーバ状態であるか否かの情報である場合には、例えばソフトハンドオーバ状態の通信端末装置に割り当てるリソースを少なくすることができるので、他セルに与える干渉量を少なくすることができ、システムを安定的に運営することができる。
【０１７２】
なお、本実施の形態４において、各グループの下り回線制御信号ＤＬ−ＳＲを送信することとしたが、これに限らず、各グループの下り回線制御信号を１つにまとめて符号化して送信しても良い。また、実施の形態４において、基地局の総受信電力の目標値に対して正確に制御するために下り回線制御信号ＤＬ−ＳＲを使用することにしたが、これに限らず、再送信と初回送信のリソースの割り当ての割合を制御するために下り回線制御信号ＤＬ−ＳＲを用いても良い。この場合には、さらに柔軟なシステム運営を行うことが可能である。
【０１７３】
（実施の形態５）
図２３は、本発明の実施の形態５に係るスケジューリング部１１５の構成を示すブロック図である。
【０１７４】
本実施の形態５に係るスケジューリング部１１５は、図３に示す実施の形態１に係るスケジューリング部１１５において、図２３に示すように、再送信用受信電力リソース計算部３０３を除き、スケジューリング済用受信電力リソース計算部２３０１を追加する。なお、図２３においては、図３と同一構成である部分には同一の符号を付してその説明は省略する。
【０１７５】
ＤＬ−ＳＡ記憶部３０２は、ＤＬ−ＳＡ選択部３０５から入力した各通信端末装置における初回送信時の下り回線制御信号ＤＬ−ＳＡを記憶する。ＤＬ−ＳＡ記憶部３０２は、所定時間下り回線制御信号ＤＬ−ＳＡを記憶し、所定時間経過した後には記憶している下り回線制御信号ＤＬ−ＳＡを廃棄する。また、ＤＬ−ＳＡ記憶部３０２は、スケジューリングを行うタイミングにて記憶している下り回線制御信号ＤＬ−ＳＡをスケジューリング済用受信電力リソース計算部２３０１へ出力する。
【０１７６】
スケジューリング済用受信電力リソース計算部２３０１は、ＳＩＲ測定部１０４から入力した各通信端末装置１００のＳＩＲの測定結果、及びＤＬ−ＳＡ記憶部３０２から入力した初回送信時の下り回線制御信号ＤＬ−ＳＡに基づいて、全ての通信端末装置が必要とする合計の電力リソースを計算する。そして、スケジューリング済用受信電力リソース計算部２３０１は、送信予定の全ての通信端末装置が必要とする電力リソースの合計値を制御量計算部３０４及びＤＬ−ＳＡ選択部３０５へ出力する。
【０１７７】
制限量計算部３０４は、スケジューリング済用受信電力リソース計算部２３０１から入力した送信予定の全ての通信端末装置が必要とする受信電力リソースの合計値が、上りパケット用受信電力リソース以下であるか否かを判定する。制限量計算部３０４は、受信電力リソースの合計値が上りパケット用受信電力リソースを超えている場合には、上りパケット用受信電力リソースを超えている量（例えばｘｄＢ）を計算し、上りパケット用受信電力リソースを超えないようにするために受信電力リソースを制限する制限量を送信予定の各通信端末装置に割り当てる。具体的には、制限量計算部３０４は、受信電力リソースの制限量を送信予定の通信端末装置の数で除算する等して、送信予定の各通信端末装置の受信電力リソースの制限量が送信予定の各通信端末装置において全て同一になるような制限量を送信予定の各通信端末装置に対して割り当てる。そして、制限量計算部３０４は、割り当てた制限量の情報をＤＬ−ＳＡ選択部３０５へ出力するとともに、割り当てた制限量の情報を下り回線制御信号ＤＬ−ＳＲとしてチャネルエンコード部１１７へ出力する。また、制限量計算部３０４は、受信電力リソースの合計値が上りパケット用受信電力リソース以下である場合には、何も出力しない。また、制限量計算部３０４は、所定時間内において有効な下り回線制御信号ＤＬ−ＳＡにて指示されるリソースを制限するための下り回線制御信号ＤＬ−ＳＲを生成して、生成した下り回線制御信号ＤＬ−ＳＲをチャネルエンコード部１１７へ出力する。
【０１７８】
ＤＬ−ＳＡ選択部３０５は、制限量計算部３０４から送信予定の通信端末装置に割り当てる制限量の情報が入力しない場合には、ＳＩＲ測定部１０４から入力したＳＩＲの測定結果、チャネルデコード部１１４から入力した上り回線制御信号ＵＬ−ＳＩ及びレート組合せ情報に基づいて、上りパケット用受信電力リソース以下のリソースにて、端末選択部３０１から入力した優先度順に並べられた端末番号の順番にて各通信端末装置に受信電力リソースを割り当てる。そして、ＤＬ−ＳＡ選択部３０５は、割り当てたリソースの情報を所定時間有効な下り回線制御信号ＤＬ−ＳＡとしてチャネルエンコード部１２１へ出力する。ここで、所定時間有効な下り回線制御信号ＤＬ−ＳＡとは、所定時間の最初に生成されて送信された下り制御信号ＤＬ−ＳＡであって、かつ新たなリソース割り当ての指示を受けない限り所定時間内には変更されない下り回線制御信号ＤＬ−ＳＡである。
【０１７９】
また、ＤＬ−ＳＡ選択部３０５は、制限量計算部３０４から送信予定の通信端末装置に割り当てるリソースの制限量の情報が入力した場合には、ＳＩＲ測定部１０４から入力したＳＩＲの測定結果、チャネルデコード部１１４から入力した上り回線制御信号ＵＬ−ＳＩ及びレート組合せ情報に基づいて割り当てた送信予定の各通信端末装置のリソースから、制限量計算部３０４から入力したリソースの制限量を減算して、上りパケット用受信電力リソース以下のリソースにて、端末選択部３０１から入力した優先度順に並べられた端末番号の順番にて各通信端末装置に受信電力リソースを割り当てる。そして、ＤＬ−ＳＡ選択部３０５は、割り当てたリソースの情報を下り回線制御信号ＤＬ−ＳＡとしてチャネルエンコード部１２１へ出力する。
【０１８０】
次に、シグナリング方法について、図２４を用いて説明する。図２４は、シグナリング方法を示すフロー図である。
【０１８１】
最初に、スケジューリング部１１５は、下り回線制御信号をＤＬ−ＳＡを送信した通信端末装置に対して、下り回線制御信号ＤＬ−ＳＡを送信しないかまたは下り回線制御信号ＤＬ−ＳＲを送信する時間である所定時間経過していない通信端末装置が存在するか否かを判定する（ステップＳＴ２４０１）。所定時間経過していない通信端末装置が存在する場合には、スケジューリング部１１５は、送信予定の各通信端末装置に割り当てた受信電力リソースの合計値が上りパケット用受信電力リソース以下であるか否かを判定する（ステップＳＴ２４０２）。
【０１８２】
送信予定の各通信端末装置に割り当てた受信電力リソースの合計値が上りパケット用受信電力リソース以下でない場合には、スケジューリング部１１５は、送信予定の各通信端末装置に割り当てたリソースの制限量を通知する下り回線制御信号ＤＬ−ＳＲを生成する（ステップＳＴ２４０３）。次に、スケジューリング部１１５は、所定時間が経過していない通信端末装置の処理が終わった後、リソースが割り当てられていない通信端末装置に対してリソースを割当てて下り回線制御信号ＤＬ−ＳＡを生成する（ステップＳＴ２４０４）。次に、通信端末装置は、生成した下り回線制御信号ＤＬ−ＳＲ及び下り回線制御信号ＤＬ−ＳＡを送信する（ステップＳＴ２４０５）。なお、下り回線制御信号ＤＬ−ＳＲは、ステップＳＴ２４０１及びステップＳＴ２４０２にて選択された通信端末装置に対するもののみ生成する。
【０１８３】
一方、ステップＳＴ２４０１において、所定時間経過していない通信端末装置が存在しない場合には、スケジューリング部１１５は、下り回線制御信号ＤＬ−ＳＲは生成せずに、下り回線制御信号ＤＬ−ＳＡのみを生成する（ステップＳＴ２４０４）。また、ステップＳＴ２４０２において、送信予定の各通信端末装置に割り当てた受信電力リソースの合計値が上りパケット用受信電力リソース以下である場合には、スケジューリング部１１５は、下り回線制御信号ＤＬ−ＳＲは生成せずに、下り回線制御信号ＤＬ−ＳＡのみを生成する（ステップＳＴ２４０４）。
【０１８４】
図２５は、下り回線制御信号ＤＬ−ＳＡによるシグナリングを示す図である。図２５より、送信電力オフセット「ｙ１」を示すシグナリングは「０００」であり、送信電力オフセット「ｙ２」を示すシグナリングは「００１」であり、送信電力オフセット「ｙ３」を示すシグナリングは「０１０」である。また、下り回線制御信号ＤＬ−ＳＡの有効期間ＮＴＴＩを示すシグナリングは「００」であり、下り回線制御信号ＤＬ−ＳＡの有効期間２ＮＴＴＩを示すシグナリングは「０１」であり、下り回線制御信号ＤＬ−ＳＡの有効期間４ＮＴＴＩを示すシグナリングは「１０」であり、下り回線制御信号ＤＬ−ＳＡの有効期間８ＮＴＴＩを示すシグナリングは「１１」である。スケジューリング部１１５は、送信電力オフセットを示すシグナリング＃２５０１からスケジューリングの結果に応じたシグナリングを選択するとともに、下り回線制御信号ＤＬ−ＳＡの有効期間を示すシグナリング＃２５０２から所定のシグナリングを選択する。そして、スケジューリング部１１５は、選択した送信電力オフセットを示すシグナリングと下り回線制御信号ＤＬ−ＳＡの有効期間を示すシグナリングとを含む下り回線制御信号ＤＬ−ＳＡを出力する。
【０１８５】
図２６は、下り回線制御信号ＤＬ−ＳＲによるシグナリングを示す図である。この場合の下り回線制御信号ＤＬ−ＳＲは、各通信端末装置の送信パラメータ設定部２２６にて設定されるオフセット量に対する制限量、即ちＤＰＣＣＨ等の特定のチャネルのリソースのオフセット値に対する制限量を示すものである。送信電力リソースのオフセット値に対する制限量「０」を示す下り回線制御信号ＤＬ−ＳＲは「００」であり、送信電力リソースのオフセット値に対する制限量「１」を示す下り回線制御信号ＤＬ−ＳＲは「０１」であり、送信電力リソースのオフセット値に対する制限量「２」を示す下り回線制御信号ＤＬ−ＳＲは「１０」であり、送信電力リソースのオフセット値に対する制限量「３」を示す下り回線制御信号ＤＬ−ＳＲは「１１」である。なお、図２６は、リソースを制限しない場合にも下り回線制御信号ＤＬ−ＳＲを送信する場合について示すものであるが、リソースを制限しない場合には下り回線制御信号ＤＬ−ＳＲを送信しないようにしても良い。
【０１８６】
このように、本実施の形態５によれば、送信予定の通信端末装置の受信品質に基づいて下り回線制御信号ＤＬ−ＳＡにより割り当てられるリソースからの共通の制限量を、所定時間の通信端末装置に割り当てることにより最大割当可能リソース内にてリソースを割り当てるとともに、送信予定の通信端末装置に対して共通の制限量の情報として下り回線制御信号ＤＬ−ＳＡを送信するので、総受信電力の目標値に対する正確な制御と下り回線制御信号の量を少なくすることとの両立を図ることができるとともに、上り回線及び下り回線のスループットの低下を防ぐことができる。
【０１８７】
なお、本実施の形態５において、下り回線制御信号ＤＬ−ＳＡによるシグナリングにより有効期間を通知することとしたが、これに限らず、下り回線制御信号ＤＬ−ＳＡによるシグナリングによりスケジューリングの回数を通知して、通知した回数のスケジューリングが終了する毎に下り回線制御信号ＤＬ−ＳＡを送信するようにしても良い。
【０１８８】
上記実施の形態１〜実施の形態５において、下り回線制御信号ＤＬ−ＳＡによりシグナリングする値は「００」「０１」「１０」「１１」の４値にしたが、これに限らず、シグナリングする値は任意の値にすることができる。また、上記実施の形態１〜実施の形態５において、送信電力、伝送レートまたは情報ビット数を通信端末装置にシグナリングすることにしたが、これに限らず、リソースの制限量に関係付けられていればＭＣＳレベル等の任意の情報をシグナリングすることができる。また、上記実施の形態１〜実施の形態５において、下り回線制御信号ＤＬ−ＳＡ及び下り回線制御信号ＤＬ−ＳＲは、別の送信処理を行うことにしたが、これに限らず、下り回線制御信号ＤＬ−ＳＡ及び下り回線制御信号ＤＬ−ＳＲを共通の送信処理するようにしても良い。また、下り回線制御信号ＤＬ−ＳＡにより割り当てられたリソースを１つの下り回線制御信号ＤＬ−ＳＲで制限するようにしたが、これに限らず、複数の下り回線制御信号ＤＬ−ＳＲを加算した値によって下り回線制御信号ＤＬ−ＳＡにより割り当てられたリソースを制限しても良い。また、上記実施の形態１〜実施の形態５の通信装置は、基地局装置に適用することができる。また、上記実施の形態１〜実施の形態５において、リソースを制限する必要がある時にのみ下り回線制御信号ＤＬ−ＳＲを生成して送信するようにしたが、これに限らず、リソースを制限する必要があるか否かに関わりなく、スケジューリング毎に下り回線制御信号ＤＬ−ＳＲを生成して送信しても良い。
【産業上の利用可能性】
【０１８９】
本発明にかかる通信装置、基地局装置及びシグナリング方法は、正確な制御と下り回線制御信号の量を少なくすることとの両立を図ることができるとともに、下り回線のスループットの低下を防ぐ効果を有し、スケジューリングするのに有用である。
【図面の簡単な説明】
【０１９０】
【図１】本発明の実施の形態１に係る通信装置の構成を示すブロック図
【図２】本発明の実施の形態１に係る通信端末装置の構成を示すブロック図
【図３】本発明の実施の形態１に係るスケジューリング部の構成を示すブロック図
【図４】本発明の実施の形態１に係る通信装置及び通信端末装置の動作を示すフロー図
【図５】本発明の実施の形態１に係る通信装置及び通信端末装置の動作を示すフロー図
【図６】本発明の実施の形態１に係る再送信の際の信号の送受信のタイミングを示す図
【図７】本発明の実施の形態１に係る受信電力を示す図
【図８】本発明の実施の形態１に係る下り回線制御信号ＤＬ−ＳＲを示す図
【図９】本発明の実施の形態１に係る下り回線制御信号ＤＬ−ＳＲを示す図
【図１０】本発明の実施の形態１に係る下り回線制御信号ＤＬ−ＳＲを示す図
【図１１】本発明の実施の形態１に係る下り回線制御信号ＤＬ−ＳＲを示す図
【図１２】本発明の実施の形態２に係るスケジューリング部の構成を示すブロック図
【図１３】本発明の実施の形態２に係る複数のレベルに分けた伝送レートを示す図
【図１４】本発明の実施の形態２に係る複数のレベルに分けた情報ビット数を示す図
【図１５】本発明の実施の形態２に係る下り回線制御信号ＤＬ−ＳＲを示す図
【図１６】本発明の実施の形態２に係る下り回線制御信号ＤＬ−ＳＲを示す図
【図１７】本発明の実施の形態３に係る通信装置の構成を示すブロック図
【図１８】本発明の実施の形態３に係るスケジューリング部の構成を示すブロック図
【図１９】本発明の実施の形態３に係る下り回線制御信号ＤＬ−ＳＲを示す図
【図２０】本発明の実施の形態３に係る下り回線制御信号ＤＬ−ＳＲを示す図
【図２１】本発明の実施の形態４に係る通信装置の構成を示すブロック図
【図２２】本発明の実施の形態４に係るスケジューリング部の構成を示すブロック図
【図２３】本発明の実施の形態５に係るスケジューリング部の構成を示すブロック図
【図２４】本発明の実施の形態５に係るシグナリング方法を示すフロー図
【図２５】本発明の実施の形態５に係る下り回線制御信号ＤＬ−ＳＡを示す図
【図２６】本発明の実施の形態５に係る下り回線制御信号ＤＬ−ＳＲを示す図
【図２７】スケジューリング方法を示す図
【図２８】従来の再送信の際の信号の送受信のタイミングを示す図
【図２９】従来の受信電力を示す図
【図３０】従来の再送信の際の信号の送受信のタイミングを示す図
【図３１】従来の受信電力を示す図
【符号の説明】
【０１９１】
１００  通信装置
１０４  ＳＩＲ測定部
１０７、１１０、１１４  チャネルデコード部
１１１  誤り検出部
１１５  スケジューリング部
１１６、１２５、１３０  送信電力設定部
１１７、１２１、１２６、１３１  チャネルエンコード部
【図１】
2006054617.tif 000003
【図２】
2006054617.tif 000004
【図３】
2006054617.tif 000005
【図４】
2006054617.tif 000006
【図５】
2006054617.tif 000007
【図６】
2006054617.tif 000008
【図７】
2006054617.tif 000009
【図８】
2006054617.tif 000010
【図９】
2006054617.tif 000011
【図１０】
2006054617.tif 000012
【図１１】
2006054617.tif 000013
【図１２】
2006054617.tif 000014
【図１３】
2006054617.tif 000015
【図１４】
2006054617.tif 000016
【図１５】
2006054617.tif 000017
【図１６】
2006054617.tif 000018
【図１７】
2006054617.tif 000019
【図１８】
2006054617.tif 000020
【図１９】
2006054617.tif 000021
【図２０】
2006054617.tif 000022
【図２１】
2006054617.tif 000023
【図２２】
2006054617.tif 000024
【図２３】
2006054617.tif 000025
【図２４】
2006054617.tif 000026
【図２５】
2006054617.tif 000027
【図２６】
2006054617.tif 000028
【図２７】
2006054617.tif 000029
【図２８】
2006054617.tif 000030
【図２９】
2006054617.tif 000031
【図３０】
2006054617.tif 000032
【図３１】
2006054617.tif 000033